(57)【要約】データを送信するための方法および装置、データを処理するための方法および装置、ならびにネットワーク側デバイスおよび端末が、提供される。データを送信するための方法は、伝送されるデータに第１の所定の処理を実施し、第１の処理結果を取得することと、第１の処理結果を伝送されるデータと連結し、連結されたデータを取得することと、連結されたデータに第２の所定の処理を実施し、処理されたデータを取得することと、処理されたデータの中にあり、ネットワーク側デバイスの現在のデータ伝送に対応する、データのセグメントを伝送することとを含む。
2020523820.tif 000002
【特許請求の範囲】
【請求項１】
データを送信するための方法であって、
伝送されるデータに第１の所定の処理を実施し、第１の処理結果を取得することと、
前記第１の処理結果を伝送される前記データと連結し、連結されたデータを取得することと、
前記連結されたデータに第２の所定の処理を実施し、処理されたデータを取得することと、
前記処理されたデータの中にあり、ネットワーク側デバイスの現在のデータ伝送に対応する、データのセグメントを伝送することと
を含む、方法。
【請求項２】
前記連結されたデータに前記第２の所定の処理を実施し、前記処理されたデータを取得することは、
前記連結されたデータにチャネルコーディングを実施し、コード化されたデータを取得することと、
前記コード化されたデータをＮ回繰り返し、繰り返しデータを取得することであって、Ｎは、正の整数である、ことと、
規定識別子を使用することによって前記繰り返しデータをスクランブルし、スクランブルされたデータを取得することと
を含む、請求項１に記載の方法。
【請求項３】
前記連結されたデータに前記チャネルコーディングを実施することは、以下のコーディング様式：ポーラコード、低密度パリティチェックコード、およびテールバイティング畳み込みコードのうちの少なくとも１つで、前記連結されたデータに前記チャネルコーディングを実施することを含む、請求項２に記載の方法。
【請求項４】
前記規定識別子を使用することによって前記繰り返しデータをスクランブルし、前記スクランブルされたデータを取得することは、前記規定識別子および前記繰り返しデータを使用することによって生成されるスクランブリングシーケンスにＸＯＲ演算を実施し、前記スクランブルされたデータを取得することを含む、請求項２に記載の方法。
【請求項５】
前記スクランブリングシーケンスは、ゴールドコード、Ｍ−シーケンス、およびｚａｄｏｆｆ−ｃｈｕ（ＺＣ）シーケンスのうちの少なくとも１つを備える、請求項４に記載の方法。
【請求項６】
伝送される前記データに前記第１の所定の処理を実施し、前記第１の処理結果を取得することは、
伝送される前記データに巡回冗長チェックを実施し、第１のチェック結果を取得することと、
前記第１のチェック結果に以下の動作：
アンテナポートの数を表すためのマスクを使用することによって前記第１のチェック結果に所定の演算を実施することと、
セル無線ネットワーク一時識別子および前記第１のチェック結果にＸＯＲ演算を実施することと
のうちの少なくとも１つを実施し、前記第１の処理結果を取得することと
を含む、請求項１に記載の方法。
【請求項７】
前記巡回冗長チェックに使用される８チェックビットの場合、前記巡回冗長チェックを実施する際に使用される生成多項式ｇは、ｇ＝Ｘ８＋Ｘ７＋Ｘ４＋Ｘ３＋Ｘ＋１、ｇ＝Ｘ８＋Ｘ２＋Ｘ＋１、ｇ＝Ｘ８＋Ｘ４＋Ｘ３＋Ｘ＋１、またはｇ＝Ｘ８＋Ｘ４＋Ｘ３＋Ｘ２＋１のうちの少なくとも１つを備え、
前記巡回冗長チェックに使用される１６チェックビットの場合、前記巡回冗長チェックを実施する際に使用される前記生成多項式ｇは、ｇ＝Ｘ１６＋Ｘ１２＋Ｘ５＋１、ｇ＝Ｘ１６＋Ｘ２＋Ｘ＋１、またはｇ＝Ｘ１６＋Ｘ１４＋Ｘ＋１のうちの少なくとも１つを備え、
前記巡回冗長チェックに使用される１７チェックビットの場合、前記巡回冗長チェックを実施する際に使用される前記生成多項式ｇは、ｇ＝Ｘ１７＋Ｘ３＋１、ｇ＝Ｘ１７＋Ｘ１２＋Ｘ１１＋Ｘ６＋Ｘ４＋Ｘ＋１、またはｇ＝Ｘ１７＋Ｘ１３＋Ｘ１１＋Ｘ１０＋Ｘ７＋Ｘ５＋Ｘ４＋Ｘ３＋Ｘ＋１のうちの少なくとも１つを備え、
前記巡回冗長チェックに使用される１８チェックビットの場合、前記巡回冗長チェックを実施する際に使用される前記生成多項式ｇは、ｇ＝Ｘ１８＋Ｘ５＋Ｘ２＋Ｘ＋１、ｇ＝Ｘ１８＋Ｘ１６＋Ｘ１５＋Ｘ１３＋Ｘ８＋Ｘ５＋Ｘ４＋Ｘ３＋Ｘ２＋Ｘ＋１、またはｇ＝Ｘ１８＋Ｘ１６＋Ｘ１１＋Ｘ１０＋Ｘ９＋Ｘ８＋Ｘ６＋Ｘ５＋Ｘ４＋Ｘ＋１のうちの少なくとも１つを備え、
前記巡回冗長チェックに使用される１９チェックビットの場合、前記巡回冗長チェックを実施する際に使用される前記生成多項式ｇは、ｇ＝Ｘ１９＋Ｘ５＋Ｘ２＋Ｘ＋１、ｇ＝Ｘ１９＋Ｘ１６＋Ｘ８＋Ｘ５＋Ｘ４＋Ｘ３＋Ｘ２＋Ｘ＋１、またはｇ＝Ｘ１９＋Ｘ１２＋Ｘ９＋Ｘ８＋Ｘ６＋Ｘ５＋Ｘ４＋Ｘ２＋１のうちの少なくとも１つを備え、
前記巡回冗長チェックに使用される２０チェックビットの場合、前記巡回冗長チェックを実施する際に使用される前記生成多項式ｇは、ｇ＝Ｘ２０＋Ｘ３＋１、ｇ＝Ｘ２０＋Ｘ１６＋Ｘ９＋Ｘ４＋Ｘ３＋Ｘ２＋１、またはｇ＝Ｘ２０＋Ｘ１９＋Ｘ１８＋Ｘ１４＋Ｘ６＋Ｘ２＋Ｘ＋１のうちの少なくとも１つを備え、
前記巡回冗長チェックに使用される２１チェックビットの場合、前記巡回冗長チェックを実施する際に使用される前記生成多項式ｇは、ｇ＝Ｘ２１＋Ｘ２＋１、ｇ＝Ｘ２１＋Ｘ２０＋Ｘ１３＋Ｘ１１＋Ｘ７＋Ｘ４＋Ｘ３＋１、またはｇ＝Ｘ２１＋Ｘ２０＋Ｘ１８＋Ｘ１６＋Ｘ１４＋Ｘ１３＋Ｘ１０＋Ｘ９＋Ｘ７＋Ｘ３＋１のうちの少なくとも１つを備え、
前記巡回冗長チェックに使用される２２チェックビットの場合、前記巡回冗長チェックを実施する際に使用される前記生成多項式ｇは、ｇ＝Ｘ２２＋Ｘ＋１のうちの少なくとも１つを備え、
前記巡回冗長チェックに使用される２３チェックビットの場合、前記巡回冗長チェックを実施する際に使用される前記生成多項式ｇは、ｇ＝Ｘ２３＋Ｘ５＋１のうちの少なくとも１つを備え、
前記巡回冗長チェックに使用される２４チェックビットの場合、前記巡回冗長チェックを実施する際に使用される前記生成多項式ｇは、ｇ＝Ｘ２４＋Ｘ４＋Ｘ３＋Ｘ＋１、ｇ＝Ｘ２４＋Ｘ２３＋Ｘ６＋Ｘ５＋Ｘ＋１、またはｇ＝Ｘ２４＋Ｘ２３＋Ｘ１８＋Ｘ１７＋Ｘ１４＋Ｘ１１＋Ｘ１０＋Ｘ７＋Ｘ６＋Ｘ５＋Ｘ４＋Ｘ３＋Ｘ＋１のうちの少なくとも１つを備え、
前記巡回冗長チェックに使用される３２チェックビットの場合、前記巡回冗長チェックを実施する際に使用される前記生成多項式ｇは、ｇ＝Ｘ３２＋Ｘ７＋Ｘ５＋Ｘ３＋Ｘ２＋Ｘ＋１、ｇ＝Ｘ３２＋Ｘ２９＋Ｘ１８＋Ｘ１４＋Ｘ３＋１、またはｇ＝Ｘ３２＋Ｘ１４＋Ｘ１２＋Ｘ１０＋Ｘ９＋Ｘ８＋Ｘ４＋Ｘ３＋Ｘ＋１のうちの少なくとも１つを備え、
Ｘという累乗指数は、前記巡回冗長チェックを実施する際に使用されるチェックビットを示すために使用される、請求項６に記載の方法。
【請求項８】
前記アンテナポートが単一アンテナポートである場合において、前記マスクは、数Ｌ＿ＣＲＣの２進ビット「０」を備え、
前記アンテナポートが２アンテナポートである場合において、前記マスクは、数Ｌ＿ＣＲＣの２進ビット「１」を備え、
前記アンテナポートが４アンテナポートである場合において、前記マスクは、数ｆｌｏｏｒ（Ｌ＿ＣＲＣ／２）の２進列「０１」と、数ｍｏｄ（Ｌ＿ＣＲＣ，２）の２進ビット「０」とを備え、
前記アンテナポートが８アンテナポートである場合において、前記マスクは、数ｆｌｏｏｒ（Ｌ＿ＣＲＣ／２）の２進列「１０」と、数ｍｏｄ（Ｌ＿ＣＲＣ，２）の２進ビット「１」とを備え、
前記アンテナポートが１６アンテナポートである場合において、前記マスクは、数ｆｌｏｏｒ（Ｌ＿ＣＲＣ／４）の２進列「０１１０」および数ｍｏｄ（Ｌ＿ＣＲＣ，４）の２進ビット「１」、前記ｆｌｏｏｒ（Ｌ＿ＣＲＣ／４）２進列「０１１０」および第１のビットから前記ｆｌｏｏｒ（Ｌ＿ＣＲＣ／４）２進列「０１１０」のｍｏｄ（Ｌ＿ＣＲＣ，４）番目のビットまでの複数のビット、または前記ｆｌｏｏｒ（Ｌ＿ＣＲＣ／４）２進列「０１１０」および最後のビットから前記ｆｌｏｏｒ（Ｌ＿ＣＲＣ／４）２進列「０１１０」の最後のビットからｍｏｄ（Ｌ＿ＣＲＣ，４）番目のビットまでの複数のビットのうちの１つを備え、
前記アンテナポートが３２アンテナポートである場合において、前記マスクは、数ｆｌｏｏｒ（Ｌ＿ＣＲＣ／４）の２進列「１００１」および数ｍｏｄ（Ｌ＿ＣＲＣ，４）の２進ビット「０」、前記ｆｌｏｏｒ（Ｌ＿ＣＲＣ／４）２進列「１００１」および第１のビットから前記ｆｌｏｏｒ（Ｌ＿ＣＲＣ／４）２進列「１００１」のｍｏｄ（Ｌ＿ＣＲＣ，４）番目のビットまでの複数のビット、または前記ｆｌｏｏｒ（Ｌ＿ＣＲＣ／４）２進列「１００１」および最後のビットから前記ｆｌｏｏｒ（Ｌ＿ＣＲＣ／４）２進列「１００１」の最後のビットからｍｏｄ（Ｌ＿ＣＲＣ，４）番目のビットまでの複数のビットのうちの１つを備え、
Ｌ＿ＣＲＣは、前記巡回冗長チェックのビット数、セル識別子のビット数、ビーム識別子のビット数、前記セル無線ネットワーク一時識別子のビット数、または予備ビットの数を引いた前記巡回冗長チェックのビット数のビット数のうちの少なくとも１つを備え、前記予備ビットの数は、０〜１６の任意の整数であり、ｆｌｏｏｒ（）は、切り捨て演算であり、ｍｏｄ（Ｌ＿ＣＲＣ，２）は、前記Ｌ＿ＣＲＣへのモジュロ−２演算であり、ｍｏｄ（Ｌ＿ＣＲＣ，４）は、前記Ｌ＿ＣＲＣへのモジュロ−４演算である、請求項６に記載の方法。
【請求項９】
前記アンテナポートの数を表すための前記マスクを使用することによって、前記第１のチェック結果に前記所定の演算を実施することは、
前記マスクおよび前記第１のチェック結果に前記ＸＯＲ演算を実施すること、または
前記マスクおよび前記第１のチェック結果にモジュロ−２加法演算を実施すること
のうちの少なくとも１つを含む、請求項６に記載の方法。
【請求項１０】
前記セル無線ネットワーク一時識別子および前記第１のチェック結果に前記ＸＯＲ演算を実施することは、
前記セル無線ネットワーク一時識別子のビット数が前記第１のチェック結果のビット数未満である場合において、所定数の２進ビット「０」を前記セル無線ネットワーク一時識別子の前部または後部に追加して、第１のセル無線ネットワーク一時識別子を取得し、前記第１のセル無線ネットワーク一時識別子および前記第１のチェック結果に前記ＸＯＲ演算を実施すること、または
前記セル無線ネットワーク一時識別子のビット数が前記第１のチェック結果のビット数を上回る場合において、前記所定数の２進ビット「０」を前記第１のチェック結果の前部または後部に追加して、第２のチェック結果を取得し、前記セル無線ネットワーク一時識別子および前記第２のチェック結果に前記ＸＯＲ演算を実施すること
のうちの少なくとも１つを含み、
前記所定数は、前記セル無線ネットワーク識別子のビット数と前記第１のチェック結果のビット数との間の差の絶対値である、請求項６に記載の方法。
【請求項１１】
第１の処理結果を伝送される前記データと連結し、前記連結されたデータを取得することは、
伝送される前記データの前に前記第１の処理結果を設置し、前記連結されたデータを取得すること、
伝送される前記データの中央に前記第１の処理結果を設置し、前記連結されたデータを取得すること、または
伝送される前記データの後に前記第１の処理結果を設置し、前記連結されたデータを取得すること
のうちの少なくとも１つを含み、
伝送される前記データの中で伝送される全Ｍデータビットは、前記第１の処理結果のデータのビットを伴って挿入され、前記第１の処理結果の全てのビットは、前記連結されたデータを取得するように伝送される前記データの中に挿入され、Ｍは、自然数である、請求項１に記載の方法。
【請求項１２】
データの複数のセグメントの中のデータの少なくとも２つのセグメントは、重複データを有し、またはいかなる重複データも、前記データの複数のセグメントの中に存在しない、請求項１−１１のいずれか１項に記載の方法。
【請求項１３】
前記セル無線ネットワーク一時識別子および前記第１のチェック結果に前記ＸＯＲ演算を実施することは、１６ビットセル無線ネットワーク一時識別子および前記第１のチェック結果の１９ビットの中の最後の１６ビットに前記ＸＯＲ演算を実施し、新しいチェック結果を取得することを含む、請求項６に記載の方法。
【請求項１４】
前記処理されたデータは、データの複数のセグメントを備え、前記データの複数のセグメントの各セグメントは、データ伝送に対応する、請求項１−１１のいずれか１項に記載の方法。
【請求項１５】
データを処理するための方法であって、
ネットワーク側デバイスによって送信されるデータを受信することであって、前記データは、前記ネットワーク側デバイスによって伝送される事前処理データから取得されるデータの間のデータのセグメントである、ことと、
データのセグメントとデータ伝送の回数との間の事前設定された対応および前記受信されたデータに従って、前記受信されたデータに対応するデータ伝送の回数を判定することと
を含む、方法。
【請求項１６】
前記対応は、前記事前処理されたデータの中の前記データのセグメントの開始点と前記データ伝送の回数との間の対応を備える、請求項１５に記載の方法。
【請求項１７】
前記データのセグメントと前記データ伝送の回数との間の前記事前設定された対応および前記受信されたデータに従って、前記受信されたデータに対応する前記データ伝送の回数を判定することは、
前記事前処理されたデータの中の前記受信されたデータの開始位置を取得することと、
前記開始位置に従って、前記開始位置に合致する前記データ伝送の回数に関して対応を検索することと
を含む、請求項１６に記載の方法。
【請求項１８】
データを送信するための装置であって、
伝送されるデータに第１の所定の処理を実施し、第１の処理結果を取得するように構成されている、第１の処理モジュールと、
前記第１の処理結果を伝送される前記データと連結し、連結されたデータを取得するように構成されている、組み合わせモジュールと、
前記連結されたデータに第２の所定の処理を実施し、処理されたデータを取得するように構成されている、第２の処理モジュールと、
前記処理されたデータの中にあり、ネットワーク側デバイスの現在のデータ伝送に対応する、データのセグメントを伝送するように構成されている、伝送モジュールと
を備える、装置。
【請求項１９】
前記第２の処理モジュールはさらに、前記連結されたデータにチャネルコーディングを実施して、コード化されたデータを取得することと、前記コード化されたデータをＮ回繰り返して、繰り返しデータを取得することと、規定識別子を使用することによって前記繰り返しデータをスクランブルし、スクランブルされたデータを取得することとを行うように構成され、Ｎは、正の整数である、請求項１８に記載の装置。
【請求項２０】
前記第１の処理モジュールはさらに、
伝送される前記データに巡回冗長チェックを実施して、第１のチェック結果を取得することと、
前記第１のチェック結果に以下の動作：
アンテナポートの数を表すためのマスクを使用することによって前記第１のチェック結果に所定の演算を実施することと、
セル無線ネットワーク一時識別子および前記第１のチェック結果にＸＯＲ演算を実施することと
のうちの少なくとも１つを実施し、前記第１の処理結果を取得することと
を行うように構成されている、請求項１８に記載の装置。
【請求項２１】
データを処理するための装置であって、
ネットワーク側デバイスによって送信されるデータを受信するように構成されている、受信モジュールであって、前記データは、前記ネットワーク側デバイスによって伝送される事前処理データから取得されるデータの間のデータのセグメントである、受信モジュールと、
データのセグメントとデータ伝送の回数との間の事前設定された対応および前記受信されたデータに従って、前記受信されたデータに対応するデータ伝送の回数を判定するように構成されている、判定モジュールと
を備える、装置。
【請求項２２】
前記対応は、前記事前処理されたデータの中の前記データのセグメントの開始点と前記データ伝送の回数との間の対応を備える、請求項２１に記載の装置。
【請求項２３】
前記判定モジュールはさらに、
前記事前処理されたデータの中の前記受信されたデータの開始位置を取得することと、
前記開始位置に従って、前記開始位置に合致する前記データ伝送の回数に関して対応を検索することと
を行うように構成されている、請求項２１に記載の装置。
【請求項２４】
ネットワーク側デバイスであって、
プロセッサと、
前記プロセッサに結合されたメモリと
を備え、
前記プロセッサは、
伝送されるデータに第１の所定の処理を実施して、第１の処理結果を取得することと、
前記第１の処理結果を伝送される前記データと連結して、連結されたデータを取得することと、
前記連結されたデータに第２の所定の処理を実施して、処理されたデータを取得することと、
前記処理されたデータの中にあり、前記ネットワーク側デバイスの現在のデータ伝送に対応する、データのセグメントを伝送することと
を行うように構成され、
前記処理されたデータは、データの複数のセグメントを備え、前記データの複数のセグメントのうちの各セグメントは、データ伝送に対応する、ネットワーク側デバイス。
【請求項２５】
前記プロセッサはさらに、
前記連結されたデータにチャネルコーディングを実施して、コード化されたデータを取得することと、
前記コード化されたデータをＮ回繰り返して、繰り返しデータを取得することと、
規定識別子を使用することによって前記繰り返しデータをスクランブルし、スクランブルされたデータを取得することと
を行うように構成され、
Ｎは、正の整数である、請求項２４に記載のネットワーク側デバイス。
【請求項２６】
前記プロセッサはさらに、
伝送される前記データに巡回冗長チェックを実施して、第１のチェック結果を取得することと、
前記第１のチェック結果に以下の動作：
アンテナポートの数を表すためのマスクを使用することによって前記第１のチェック結果に所定の演算を実施することと、
セル無線ネットワーク一時識別子および前記第１のチェック結果にＸＯＲ演算を実施することと
のうちの少なくとも１つを実施し、前記第１の処理結果を取得することと
を行うように構成されている、請求項２４に記載のネットワーク側デバイス。
【請求項２７】
端末であって、
プロセッサと、
前記プロセッサに結合されたメモリと
を備え、
前記プロセッサは、
ネットワーク側デバイスによって送信されるデータを受信することと、
データのセグメントとデータ伝送の回数との間の事前設定された対応および前記受信されたデータに従って、前記受信されたデータに対応するデータ伝送の回数を判定することと
を行うように構成され、
前記データは、前記ネットワーク側デバイスによって伝送される事前処理データから取得されるデータの間のデータのセグメントである、端末。
【請求項２８】
前記対応は、前記事前処理されたデータの中の前記データのセグメントの開始点と前記データ伝送の回数との間の対応を備える、請求項２７に記載の端末。
【請求項２９】
前記プロセッサはさらに、
前記事前処理されたデータの中の前記受信されたデータの開始位置を取得することと、
前記開始位置に従って、前記開始位置に合致する前記データ伝送の回数に関して対応を検索することと
を行うように構成されている、請求項２８に記載の端末。
【請求項３０】
実行されると、請求項１−１４のいずれか１項に記載の方法を実施する、記憶されたプログラムを備える、記憶媒体。
【請求項３１】
実行されると、請求項１５−１７のいずれか１項に記載の方法を実施する、記憶されたプログラムを備える、記憶媒体。
【請求項３２】
プロセッサであって、前記プロセッサは、プログラムを実行するように構成され、前記プログラムは、実行されると、請求項１−１４のいずれか１項に記載の方法を実施する、プロセッサ。
【請求項３３】
プロセッサであって、前記プロセッサは、プログラムを実行するように構成され、前記プログラムは、実行されると、請求項１５−１７のいずれか１項に記載の方法を実施する、プロセッサ。
【発明の詳細な説明】
【技術分野】
【０００１】
（関連出願への相互参照）
本出願は、２０１７年５月２２日に出願された中国特許出願第２０１７１０３６２９０７．６号に対して優先権を主張する。上記文献の開示内容は、その全体として参照することによって本明細書において援用される。
【０００２】
（技術分野）
本発明は、通信の分野に関し、特に、データを送信するための方法および装置、データを処理するための方法および装置、ネットワーク側デバイスならびに端末に関する。
【背景技術】
【０００３】
（背景）
関連技術分野内のロングタームエボリューション（ＬＴＥ）システムでは、物理ブロードキャストチャネル（ＰＢＣＨ）が、４０ミリ秒の周期内で１０ミリ秒毎に１回（すなわち、４０ミリ秒以内に４回）伝送される。ユーザ機器（ＵＥ）は、基地局がＰＢＣＨにチャネルコーディングを実施するために使用される冗長性バージョンを推測することによって、実施されている伝送を判定する。
【０００４】
ＬＴＥ基地局がＰＢＣＨにチャネルコーディングを実施するとき、異なるマスク（例えば、ＣＲＣマスク）が、巡回冗長チェック（ＣＲＣ）がＰＢＣＨに実施されるときのアンテナポートの数（１または２または４）を表すために使用される。関連技術分野では、ＬＴＥ基地局が複数のアンテナを使用してＰＢＣＨを伝送するとき、伝送ダイバーシティ方法が使用される。
【０００５】
第５世代モバイル通信システム（５Ｇ）における新規無線アクセス技術（ＮＲ−ＰＢＣＨ）のための物理ブロードキャストチャネルの８０ミリ秒の伝送周期では、ＮＲ−ＰＢＣＨが、複数回伝送され得る一方で、ＵＥ（端末）は、実施されている伝送を把握しない。したがって、ある方法が、ＵＥに実施されている伝送を把握させるために必要とされる。将来、基地局は、単一のアンテナまたは複数のアンテナを使用することによって、ＮＲ−ＰＢＣＨを伝送してもよく、基地局は、単一のビームまたは複数のビームを使用することによって、ＮＲ−ＰＢＣＨを伝送してもよい。したがって、ＵＥは、チャネルをより良好に受信するために、アンテナの数（アンテナポートの数）およびビーム条件を把握する必要がある。
【０００６】
効果的なソリューションが、５Ｇにおける前述の問題のためにまだ提案されていない。
【発明の概要】
【発明が解決しようとする課題】
【０００７】
（要約）
データを送信するための方法および装置、データを処理するための方法および装置、ネットワーク側デバイスならびに端末が、受信されたデータがネットワーク側によって伝送されるいずれかの伝送を端末が判定することができないという関連技術分野内の問題を少なくとも解決するように、本発明の実施形態において提供される。
【課題を解決するための手段】
【０００８】
データを送信するための方法が、本発明の実施形態において提供される。本方法は、伝送されるデータに第１の所定の処理を実施し、第１の処理結果を取得することと、第１の処理結果を伝送されるデータと連結し、連結されたデータを取得することと、連結されたデータに第２の所定の処理を実施し、処理されたデータを取得することであって、処理されたデータは、データの複数のセグメントを含み、データの複数のセグメントのうちの各セグメントは、データ伝送に対応する、ことと、処理されたデータの中にあり、ネットワーク側デバイスの現在のデータ伝送に対応する、データのセグメントを伝送することとを含む。
【０００９】
データを処理するための方法が、本発明の実施形態において提供される。本方法は、ネットワーク側デバイスによって送信されるデータを受信することであって、データは、ネットワーク側デバイスによって伝送される事前処理データから取得されるデータの間のデータのセグメントである、ことと、データのセグメントとデータ伝送の回数との間の事前設定された対応および受信されたデータに従って、受信されたデータに対応するデータ伝送の回数を判定することとを含む。
【００１０】
データを処理するための装置が、本発明の実施形態において提供される。本装置は、受信モジュールと、判定モジュールとを含む。受信モジュールは、ネットワーク側デバイスによって送信されるデータを受信するように構成され、データは、ネットワーク側デバイスによって伝送される事前処理データから取得されるデータの間のデータのセグメントである。判定モジュールは、データのセグメントとデータ伝送の回数との間の事前設定された対応および受信されたデータに従って、受信されたデータに対応するデータ伝送の回数を判定するように構成される。
【００１１】
ネットワーク側デバイスが、本発明の実施形態において提供され、プロセッサと、メモリとを含む。プロセッサは、伝送されるデータに第１の所定の処理を実施して、第１の処理結果を取得することと、第１の処理結果を伝送されるデータと連結して、連結されたデータを取得することと、連結されたデータに第２の所定の処理を実施して、処理されたデータを取得することと、処理されたデータの中にあり、ネットワーク側デバイスの現在のデータ伝送に対応する、データのセグメントを伝送することとを行うように構成され、処理されたデータは、データの複数のセグメントを含み、データの複数のセグメントのうちの各セグメントは、データ伝送に対応する。メモリは、プロセッサに結合される。
【００１２】
端末が、本発明の実施形態において提供され、プロセッサと、メモリとを含む。プロセッサは、ネットワーク側デバイスによって送信されるデータを受信することと、データのセグメントとデータ伝送の回数との間の事前設定された対応および受信されたデータに従って、受信されたデータに対応するデータ伝送の回数を判定することとを行うように構成され、データは、ネットワーク側デバイスによって伝送される事前処理データから取得されるデータの間のデータのセグメントである。メモリは、プロセッサに結合される。
【００１３】
本発明の別の実施形態はさらに、記憶媒体を提供する。記憶媒体は、実行されると、上記に説明される実施形態のいずれか１項に記載の方法を実施する、記憶されたプログラムを含む。
【００１４】
本発明の別の実施形態はさらに、プロセッサを提供する。プロセッサは、プログラムを実行するように構成され、プログラムは、実行されると、上記に説明される実施形態のいずれか１つの方法を実施する、。
【００１５】
実施形態を通して、第１の所定の処理は、第１の処理結果を取得するように、伝送されるデータに実施され、第１の処理結果は、伝送されるデータと連結される。第２の所定の処理は、連結されたデータに実施される。処理されたデータは、データの複数のセグメントを含み、データの複数のセグメントのうちの各セグメントは、データ伝送に対応する。ネットワーク側デバイスの現在のデータ伝送に対応する、データのセグメントが、伝送される。すなわち、データの各セグメントは、端末がネットワーク側デバイスによって送信されるデータを受信した後に、端末がデータに対応する伝送の回数を判定し、さらに、ネットワーク側デバイスによって伝送されるデータの伝送の回数を判定し得るように、データ伝送に対応する。したがって、端末が、受信されたデータがネットワーク側によって伝送される伝送のうちのいずれかを判定することができないという問題が、解決され得る。
【００１６】
本明細書に説明される図面は、本発明のさらなる理解を提供し、本題の一部を形成するために使用される。本発明における例示的実施形態およびその説明は、いかなる不適切な方法でも本発明を限定するためではなくて、本発明を解説するために使用される。
【図面の簡単な説明】
【００１７】
【図１】図１は、本発明のある実施形態による、データを送信するための方法のフローチャートである。
【図２】図２は、本発明のある実施形態による、データを処理するための方法のためのモバイル端末のハードウェアの構造ブロック図である。
【図３】図３は、本発明の実施形態による、データを処理するための方法のフローチャートである。
【図４】図４は、本発明の実施形態１による、抽出されたビットの概略図である。
【図５】図５は、本発明のある実施形態による、データを送信するための装置の構造ブロック図である。
【図６】図６は、本発明のある実施形態による、データを処理するための装置の構造ブロック図である。
【図７】図７は、本発明のある実施形態による、ネットワーク側デバイスの構造ブロック図である。
【図８】図８は、本発明のある実施形態による、端末の構造ブロック図である。
【発明を実施するための形態】
【００１８】
（詳細な説明）
本発明は、実施形態と併せて図面を参照して、本明細書の以降で詳細に説明されるであろう。矛盾していない場合、本願における実施形態およびその中の特徴は、相互と連結され得ることに留意されたい。
【００１９】
本発明の説明、請求項、および図面の中の用語「第１」、「第２」、および同等物は、類似オブジェクトを区別するために使用され、必ずしも特定の順番または順序を説明するために使用されるわけではないことに留意されたい。
【００２０】
（実施形態１）
本発明の実施形態は、データを送信するための方法を提供する。図１は、本発明の実施形態による、データを送信するための方法のフローチャートである。図１に示されるように、本方法は、下記に説明されるステップを含む。
【００２１】
Ｓ１０２では、第１の所定の処理が、第１の処理結果を取得するように、伝送されるデータに実施される。
【００２２】
Ｓ１０４では、第１の処理結果が、連結されたデータを取得するように、伝送されるデータと連結される。
【００２３】
Ｓ１０６では、第２の所定の処理が、処理されたデータを取得するように、連結されたデータに実施される。
【００２４】
処理されたデータは、データの複数のセグメントを含み、データの複数のセグメントのうちの各セグメントは、データ伝送に対応する。
【００２５】
Ｓ１０８では、処理されたデータの中にあり、ネットワーク側デバイスの現在のデータ伝送に対応する、データのセグメントが、伝送される。
【００２６】
上記のステップを通して、第１の所定の処理は、第１の処理結果を取得するように、伝送されるデータに実施され、第１の処理結果は、伝送されるデータと連結される。第２の所定の処理は、連結されたデータに実施される。処理されたデータは、データの複数のセグメントを含み、データの複数のセグメントのうちの各セグメントは、データ伝送に対応する。ネットワーク側デバイスの現在のデータ伝送に対応する、データのセグメントが、伝送される。すなわち、データの各セグメントは、端末がネットワーク側デバイスによって送信されるデータを受信した後に、端末がデータに対応する伝送の回数を判定し、さらに、ネットワーク側デバイスによって伝送されるデータの伝送の回数を判定し得るように、データ伝送に対応する。したがって、端末が、受信されたデータがネットワーク側によって伝送される伝送を判定することができないという問題が、解決され得る。
【００２７】
他の実施形態では、ステップＳ１０６は、連結されたデータにチャネルコーディングを実施し、コード化されたデータを取得することと、コード化されたデータをＮ回繰り返し、繰り返しデータを取得することであって、Ｎは、正の整数である、ことと、規定識別子を使用することによって繰り返しデータをスクランブルし、スクランブルされたデータを取得することとを含んでもよい。
【００２８】
上記の規定識別子は、ビーム識別子、セル識別子、または端末識別子のセットのうちの少なくとも１つを含んでもよいが、必ずしも含まなくてもよいことに留意されたい。
【００２９】
チャネルコーディングは、以下のコーディング様式：ポーラコード、低密度パリティチェックコード、およびテールバイティング畳み込みコードのうちの少なくとも１つで、連結されたデータに実施されることに留意されたい。
【００３０】
規定識別子を使用することによって繰り返しデータをスクランブルし、スクランブルされたデータを取得するステップは、規定識別子および繰り返しデータを使用することによって生成されるスクランブリングシーケンスに排他的ＯＲ（ＸＯＲ）演算を実施し、スクランブルされたデータを取得することを含み得ることに留意されたい。
【００３１】
スクランブリングシーケンスは、ゴールドコード、Ｍ−シーケンス、およびｚａｄｏｆｆ−ｃｈｕ（ＺＣ）シーケンスのうちの少なくとも１つを含むことに留意されたい。
【００３２】
ゴールドコードは、Ｍ−シーケンスから導出される疑似ランダムコードであり、一対のＭ−シーケンスの変位へのモジュロ−２加算によって形成されることに留意されたい。Ｍ−シーケンスは、最大長線形シフトレジスタの略称であり、疑似ランダムシーケンス、疑似雑音コード、または疑似ランダムコードである。ＺＣシーケンスは、Ｚａｄｏｆｆ−Ｃｈｕシーケンスである。
【００３３】
他の実施形態では、上記のステップＳ１０２は、伝送されるデータに巡回冗長チェックを実施し、第１のチェック結果を取得することと、第１のチェック結果に以下の動作：アンテナポートの数を表すためのマスクを使用することによって第１のチェック結果に所定の演算を実施すること、およびセル無線ネットワーク一時識別子および第１のチェック結果にＸＯＲ演算を実施することのうちの少なくとも１つを実施し、第１の処理結果を取得することとを含んでもよい。セル無線ネットワーク一時識別子および第１のチェック結果にＸＯＲ演算を実施するステップは、１６ビットセル無線ネットワーク一時識別子および第１のチェック結果の１９ビットの中の最後の１６ビットにＸＯＲ演算を実施し、新しいチェック結果を取得することを含む。長さが異なるため、演算時に、第１のチェック結果の１９ビットの中の最後の１６ビットは、新しいチェック結果を取得するように、１６ビットセル無線ネットワーク一時識別子を用いた演算のために選択される。
【００３４】
巡回冗長チェックに使用される８チェックビットの場合、巡回冗長チェックを実施する際に使用される生成多項式ｇは、ｇ＝Ｘ８＋Ｘ７＋Ｘ４＋Ｘ３＋Ｘ＋１、ｇ＝Ｘ８＋Ｘ２＋Ｘ＋１、ｇ＝Ｘ８＋Ｘ４＋Ｘ３＋Ｘ＋１、またはｇ＝Ｘ８＋Ｘ４＋Ｘ３＋Ｘ２＋１のうちの少なくとも１つを含み、巡回冗長チェックに使用される１６チェックビットの場合、巡回冗長チェックを実施する際に使用される生成多項式ｇは、ｇ＝Ｘ１６＋Ｘ１２＋Ｘ５＋１、ｇ＝Ｘ１６＋Ｘ２＋Ｘ＋１、またはｇ＝Ｘ１６＋Ｘ１４＋Ｘ＋１のうちの少なくとも１つを含み、巡回冗長チェックに使用される１７チェックビットの場合、巡回冗長チェックを実施する際に使用される生成多項式ｇは、ｇ＝Ｘ１７＋Ｘ３＋１、ｇ＝Ｘ１７＋Ｘ１２＋Ｘ１１＋Ｘ６＋Ｘ４＋Ｘ＋１、またはｇ＝Ｘ１７＋Ｘ１３＋Ｘ１１＋Ｘ１０＋Ｘ７＋Ｘ５＋Ｘ４＋Ｘ３＋Ｘ＋１のうちの少なくとも１つを含み、巡回冗長チェックに使用される１８チェックビットの場合、巡回冗長チェックを実施する際に使用される生成多項式ｇは、ｇ＝Ｘ１８＋Ｘ５＋Ｘ２＋Ｘ＋１、ｇ＝Ｘ１８＋Ｘ１６＋Ｘ１５＋Ｘ１３＋Ｘ８＋Ｘ５＋Ｘ４＋Ｘ３＋Ｘ２＋Ｘ＋１、またはｇ＝Ｘ１８＋Ｘ１６＋Ｘ１１＋Ｘ１０＋Ｘ９＋Ｘ８＋Ｘ６＋Ｘ５＋Ｘ４＋Ｘ＋１のうちの少なくとも１つを含み、巡回冗長チェックに使用される１９チェックビットの場合、巡回冗長チェックを実施する際に使用される生成多項式ｇは、ｇ＝Ｘ１９＋Ｘ５＋Ｘ２＋Ｘ＋１、ｇ＝Ｘ１９＋Ｘ１６＋Ｘ８＋Ｘ５＋Ｘ４＋Ｘ３＋Ｘ２＋Ｘ＋１、またはｇ＝Ｘ１９＋Ｘ１２＋Ｘ９＋Ｘ８＋Ｘ６＋Ｘ５＋Ｘ４＋Ｘ２＋１のうちの少なくとも１つを含み、巡回冗長チェックに使用される２０チェックビットの場合、巡回冗長チェックを実施する際に使用される生成多項式ｇは、ｇ＝Ｘ２０＋Ｘ３＋１、ｇ＝Ｘ２０＋Ｘ１６＋Ｘ９＋Ｘ４＋Ｘ３＋Ｘ２＋１、またはｇ＝Ｘ２０＋Ｘ１９＋Ｘ１８＋Ｘ１４＋Ｘ６＋Ｘ２＋Ｘ＋１のうちの少なくとも１つを含み、巡回冗長チェックに使用される２１チェックビットの場合、巡回冗長チェックを実施する際に使用される生成多項式ｇは、ｇ＝Ｘ２１＋Ｘ２＋１、ｇ＝Ｘ２１＋Ｘ２０＋Ｘ１３＋Ｘ１１＋Ｘ７＋Ｘ４＋Ｘ３＋１、またはｇ＝Ｘ２１＋Ｘ２０＋Ｘ１８＋Ｘ１６＋Ｘ１４＋Ｘ１３＋Ｘ１０＋Ｘ９＋Ｘ７＋Ｘ３＋１のうちの少なくとも１つを含み、巡回冗長チェックに使用される２２チェックビットの場合、巡回冗長チェックを実施する際に使用される生成多項式ｇは、ｇ＝Ｘ２２＋Ｘ＋１のうちの少なくとも１つを含み、巡回冗長チェックに使用される２３チェックビットの場合、巡回冗長チェックを実施する際に使用される生成多項式ｇは、ｇ＝Ｘ２３＋Ｘ５＋１のうちの少なくとも１つを含み、巡回冗長チェックに使用される２４チェックビットの場合、巡回冗長チェックを実施する際に使用される生成多項式ｇは、ｇ＝Ｘ２４＋Ｘ４＋Ｘ３＋Ｘ＋１、ｇ＝Ｘ２４＋Ｘ２３＋Ｘ６＋Ｘ５＋Ｘ＋１、またはｇ＝Ｘ２４＋Ｘ２３＋Ｘ１８＋Ｘ１７＋Ｘ１４＋Ｘ１１＋Ｘ１０＋Ｘ７＋Ｘ６＋Ｘ５＋Ｘ４＋Ｘ３＋Ｘ＋１のうちの少なくとも１つを含み、巡回冗長チェックに使用される３２チェックビットの場合、巡回冗長チェックを実施する際に使用される生成多項式ｇは、ｇ＝Ｘ３２＋Ｘ７＋Ｘ５＋Ｘ３＋Ｘ２＋Ｘ＋１、ｇ＝Ｘ３２＋Ｘ２９＋Ｘ１８＋Ｘ１４＋Ｘ３＋１、またはｇ＝Ｘ３２＋Ｘ１４＋Ｘ１２＋Ｘ１０＋Ｘ９＋Ｘ８＋Ｘ４＋Ｘ３＋Ｘ＋１のうちの少なくとも１つを含むことに留意されたい。Ｘという累乗指数は、巡回冗長チェックを実施する際に使用されるチェックビットを示すために使用される。
【００３５】
アンテナポートが単一アンテナポートである場合において、マスクは、数Ｌ＿ＣＲＣの２進ビット「０」を含むことに留意されたい。アンテナポートが２アンテナポートである場合において、マスクは、数Ｌ＿ＣＲＣの２進ビット「１」を含む。アンテナポートが４アンテナポートである場合において、マスクは、数ｆｌｏｏｒ（Ｌ＿ＣＲＣ／２）の２進列「０１」と、数ｍｏｄ（Ｌ＿ＣＲＣ，２）の２進ビット「０」とを含む。アンテナポートが８アンテナポートである場合において、マスクは、数ｆｌｏｏｒ（Ｌ＿ＣＲＣ／２）の２進列「１０」と、数ｍｏｄ（Ｌ＿ＣＲＣ，２）の２進ビット「１」とを含む。アンテナポートが１６アンテナポートである場合において、マスクは、数ｆｌｏｏｒ（Ｌ＿ＣＲＣ／４）の２進列「０１１０」および数ｍｏｄ（Ｌ＿ＣＲＣ，４）の２進ビット「１」、ｆｌｏｏｒ（Ｌ＿ＣＲＣ／４）２進列「０１１０」および第１のビットからｆｌｏｏｒ（Ｌ＿ＣＲＣ／４）２進列「０１１０」のｍｏｄ（Ｌ＿ＣＲＣ，４）番目のビットまでの複数のビット、またはｆｌｏｏｒ（Ｌ＿ＣＲＣ／４）２進列「０１１０」および最後のビットからｆｌｏｏｒ（Ｌ＿ＣＲＣ／４）２進列「０１１０」の最後のビットからｍｏｄ（Ｌ＿ＣＲＣ，４）番目のビットまでの複数のビットのうちの１つを含む。アンテナポートが３２アンテナポートである場合において、マスクは、数ｆｌｏｏｒ（Ｌ＿ＣＲＣ／４）の２進列「１００１」および数ｍｏｄ（Ｌ＿ＣＲＣ，４）の２進ビット「０」、ｆｌｏｏｒ（Ｌ＿ＣＲＣ／４）２進列「１００１」および第１のビットからｆｌｏｏｒ（Ｌ＿ＣＲＣ／４）２進列「１００１」のｍｏｄ（Ｌ＿ＣＲＣ，４）番目のビットまでの複数のビット、またはｆｌｏｏｒ（Ｌ＿ＣＲＣ／４）２進列「１００１」および最後のビットからｆｌｏｏｒ（Ｌ＿ＣＲＣ／４）２進列「１００１」の最後のビットからｍｏｄ（Ｌ＿ＣＲＣ，４）番目のビットまでの複数のビットのうちの１つを含む。Ｌ＿ＣＲＣは、巡回冗長チェックのビット数、セル識別子のビット数、ビーム識別子のビット数、セル無線ネットワーク一時識別子のビット数、または予備ビットの数を引いた巡回冗長チェックのビット数のビット数のうちの少なくとも１つを含む。予備ビットの数は、０〜１６の任意の整数であり、ｆｌｏｏｒ（）は、切り捨て演算であり、ｍｏｄ（Ｌ＿ＣＲＣ，２）は、Ｌ＿ＣＲＣへのモジュロ−２演算であり、ｍｏｄ（Ｌ＿ＣＲＣ，４）は、Ｌ＿ＣＲＣへのモジュロ−４演算である。
【００３６】
アンテナポートの数を表すためのマスクを使用することによって、第１のチェック結果に所定の演算を実施するステップは、マスクおよび第１のチェック結果にＸＯＲ演算を実施すること、またはマスクおよび第１のチェック結果にモジュロ−２加法演算を実施することのうちの少なくとも１つを含むことに留意されたい。
【００３７】
セル無線ネットワーク一時識別子および第１のチェック結果にＸＯＲ演算を実施するステップは、セル無線ネットワーク一時識別子のビット数が第１のチェック結果のビット数未満である場合において、所定数の２進ビット「０」をセル無線ネットワーク一時識別子の前部または後部に追加して、第１のセル無線ネットワーク一時識別子を取得し、第１のセル無線ネットワーク一時識別子および第１のチェック結果にＸＯＲ演算を実施すること、またはセル無線ネットワーク一時識別子のビット数が第１のチェック結果のビット数を上回る場合において、所定数の２進ビット「０」を第１のチェック結果の前部または後部に追加して、第２のチェック結果を取得し、セル無線ネットワーク一時識別子および第２のチェック結果にＸＯＲ演算を実施することのうちの少なくとも１つを含むことに留意されたい。所定数は、セル無線ネットワーク識別子のビット数と第１のチェック結果のビット数との間の差の絶対値である。
【００３８】
他の実施形態では、上記のステップＳ１０４は、伝送されるデータの前に第１の処理結果を設置し、連結されたデータを取得すること、伝送されるデータの中央に第１の処理結果を設置し、連結されたデータを取得すること、または伝送されるデータの後に第１の処理結果を設置し、連結されたデータを取得することのうちの少なくとも１つを含んでもよい。伝送されるデータの中で伝送される全Ｍデータビットは、第１の処理結果のデータのビットを伴って挿入され、第１の処理結果の全てのビットは、連結されたデータを取得するように伝送されるデータの中に挿入される。Ｍは、自然数である。
【００３９】
データの複数のセグメントの中のデータの少なくとも２つのセグメントは、重複データを有する、またはいかなる重複データも、データの複数のセグメントの中に存在せず、本発明は、それに限定されないことに留意されたい。
【００４０】
上記のステップは、限定ではないが、基地局等のネットワーク側デバイスによって実施され得ることに留意されたい。
【００４１】
（実施形態２）
本願の実施形態２によって提供される方法の実施形態は、モバイル端末、コンピュータ端末、または他の類似コンピューティング装置上で実行されてもよい。実施例としてモバイル端末において実行される方法を挙げると、図２は、本発明の実施形態による、データを処理するための方法のためのモバイル端末のハードウェアの構造ブロック図である。図２に示されるように、モバイル端末２０は、１つ以上の（１つだけが図１に示されている）プロセッサ２０２（プロセッサ２０２は、限定ではないが、マイクロコントローラユニット（ＭＣＵ）およびフィールドプログラマブルゲートアレイ（ＦＰＧＡ）等の処理装置を含んでもよい）と、データを記憶するように構成されるメモリ２０４と、通信機能を実装するように構成される伝送装置２０６とを含んでもよい。図２に示される構造は、例証的にすぎず、上記に説明される電子装置の構造を限定することを意図していないことが当業者によって理解されるはずである。例えば、モバイル端末２０はさらに、図２に示されるものよりも多いもしくは少ないコンポーネントを含んでもよい、または図２に示される構成と異なる構成を有してもよい。
【００４２】
メモリ２０４は、本発明の実施形態におけるデータを処理するための方法に対応する、プログラム命令／モジュール等のアプリケーションソフトウェアのソフトウェアプログラムおよびモジュールを記憶するように構成されてもよい。プロセッサ２０２は、メモリ２０４の中に記憶されたソフトウェアプログラムおよびモジュールを実行して、機能アプリケーションおよびデータ処理を実施し、上記に説明される方法を実装する。メモリ２０４は、高速ランダムアクセスメモリを含んでもよく、１つ以上の磁気記憶装置、フラッシュメモリ、または他の不揮発性ソリッドステートメモリ等の不揮発性メモリをさらに含んでもよい。いくつかの実施例では、メモリ２０４はさらに、プロセッサ２０２に関して遠隔に配置されるメモリを含んでもよい。これらの遠隔メモリは、ネットワークを介してモバイル端末２０に接続されてもよい。前述のネットワークの実施例は、限定ではないが、インターネット、イントラネット、ローカルエリアネットワーク、モバイル通信ネットワーク、およびそれらの組み合わせを含む。
【００４３】
伝送装置２０６は、ネットワークを介してデータを受信または送信するように構成される。上記に説明されるそのようなネットワークの具体的実施例は、モバイル端末２０の通信プロバイダによって提供される無線ネットワークを含んでもよい。一実施例では、伝送装置２０６は、基地局を介して他のネットワークデバイスに接続され得、したがって、インターネットと通信することが可能である、ネットワークインターフェースコントローラ（ＮＩＣ）を含む。一実施例では、伝送装置２０６は、無線方法でインターネットと通信するために使用される、高周波（ＲＦ）モジュールであってもよい。
【００４４】
実施形態は、上記に説明されるモバイル端末において実行されるデータを処理するための方法を提供する。図３は、本発明の実施形態による、データを処理するための方法のフローチャートである。図３に示されるように、本方法は、下記に説明されるステップを含む。
【００４５】
Ｓ３０２では、ネットワーク側デバイスによって送信されるデータが、受信される。データは、ネットワーク側デバイスによって伝送される事前処理データから取得されるデータの間のデータのセグメントである。
【００４６】
Ｓ３０４では、受信されたデータに対応するデータ伝送の回数が、データのセグメントとデータ伝送の回数との間の事前設定された対応および受信されたデータに従って、判定される。
【００４７】
上記のステップを通して、受信されたデータに対応するデータ伝送の回数は、端末が、受信されたデータがネットワーク側によって伝送される伝送のうちのいずれかを把握するように、データのセグメントとデータ伝送の回数との間の事前設定された対応に従って、判定され、それによって、端末が、受信されたデータがネットワーク側によって伝送されるいずれかの伝送を判定することができないという問題を解決する。
【００４８】
対応は、ネットワーク側デバイスと端末との間で事前に定義され得、また、端末のためにネットワーク側デバイスによって事前に構成され得るが、それに限定されないことに留意されたい。対応は、事前処理されたデータの中のデータのセグメントの開始点とデータ伝送の回数との間の対応を含み得ることに留意されたい。
【００４９】
他の実施形態では、上記のステップＳ３０４は、事前処理されたデータの中の受信されたデータの開始位置が取得されることを含んでもよく、対応は、開始位置に合致するデータ伝送の数に関して開始位置に従って検索される。
【００５０】
上記のステップは、端末によって実施されてもよいが、必ずしもそうではなくてもよいことに留意されたい。
【００５１】
上記に説明される実施形態の説明から、上記に説明される実施形態における方法は、必要な汎用ハードウェアプラットフォームを加えたソフトウェアによって実装され得る、または当然ながらハードウェアよって実装され得ることが当業者に明白であろう。本理解に基づいて、本発明によって提供されるソリューションは、実質的に、または関連技術分野に寄与する部分は、ソフトウェア製品の形態で具現化されてもよい。コンピュータソフトウェア製品は、記憶媒体（ＲＯＭ／ＲＡＭ、磁気ディスク、または光ディスク等）の中に記憶され、端末デバイス（携帯電話、コンピュータ、サーバ、ネットワークデバイス、または同等物であり得る）が本発明の各実施形態による方法を実施することを可能にするためのいくつかの命令を含む。
【００５２】
本発明の実施形態をさらに理解するために、本発明は、以下の実施形態と併せて下記でさらに説明されるであろう。
【００５３】
（実施形態１）
伝送されるデータの長さは、２３ビットであり、ＣＲＣの長さは、１９ビットであり、ポーラコードは、コーディングを実施するために使用され、ポーラコードのマザーコードの長さは、５１２ビットであり、単一のアンテナが、伝送に使用され、４回の反復が、コーディングの後に行われ（すなわち、４＊５１２＝２０４８ビット）、８回の伝送が、必要とされ、現在、第３の伝送が実施されることが仮定される。次いで、伝送機は、以下の動作を実施する。伝送される２３ビットデータ上の１９ビット巡回冗長チェックが、１９ビットチェック結果を取得するように、以下の生成多項式を使用することによって、実施される。
ｇ＝Ｘ１９＋Ｘ５＋Ｘ２＋Ｘ＋１
【００５４】
次いで、ＸＯＲ演算が、新しいチェック結果を取得するように、アンテナポートの数を表すためのマスクを使用することによって、１９ビットチェック結果に実施される。単一のアンテナが伝送に使用されるため、１９ビットチェック結果は、不変のままである。
【００５５】
次いで、新しいチェック結果は、４２ビットの新しいデータを取得するように、伝送されるデータと連結される（１９ビットチェック結果は、伝送される２３ビットデータの後に設置される）。
【００５６】
ポーラコードコーディングが、次いで、１／１２のコードレートを用いて４２ビットの新しいデータに実施され、５１２ビットのコード化されたデータが、取得される。
【００５７】
５１２ビットのコード化されたデータは、２０４８ビットデータを取得するように、４回繰り返される。
【００５８】
２０４８ビットデータは、２０４８ビットのスクランブルされたデータを取得するように、ビーム識別子を使用することによってスクランブルされる。
【００５９】
上記のスクランブルされたデータのうちのデータの第３のセグメントは、抽出および伝送される。
【００６０】
スクランブルされたデータでは、各セグメントの開始点は、ｍｏｄ（Ｌ＿Ｍｏｔｈｅｒ＊Ｒｅｐｅａｔ，Ｎｕｍ＿Ｓｅｇ）＋（Ｓｅｇ＿ＩＤ−１）＊ｆｌｏｏｒ（Ｌ＿Ｍｏｔｈｅｒ／Ｎｕｍ＿Ｓｅｇ）である。Ｌ＿Ｍｏｔｈｅｒは、マザーコードの長さであり、Ｎｕｍ＿Ｓｅｇは、伝送の総数であり、Ｓｅｇ＿ＩＤは、伝送の現在の数である。第３の伝送の開始ビットのシーケンス番号は、ｍｏｄ（５１２＊４，８）＋（３−１）＊ｆｌｏｏｒ（５１２／８）＝０＋２＊６４＝１２８、すなわち、１２８番目のビット（シーケンス番号は、０から開始し、番号範囲は、０，１，２，３，．．．，２０４６，２０４７である）。毎回伝送されるビットの数は、５１２または１０２４または１５３６である。図４は、本発明の実施形態１による、抽出されたビットの概略図である。抽出されたビットは、図４に示される通りである。
【００６１】
（実施形態２）
伝送されるデータの長さは、２２ビットであり、ＣＲＣの長さは、２０ビットであり、ポーラコードは、コーディングを実施するために使用され、ポーラコードのマザーコードの長さは、５１２ビットであり、８つのアンテナポートが、伝送に使用され、４回の反復が、コーディングの後に行われ（すなわち、長さは、４＊５１２＝２０４８ビットである）、８回の伝送が、必要とされ、現在、第３の伝送が実施されることが仮定される。次いで、伝送機は、以下の動作を実施する。２０ビット巡回冗長チェックが、２０ビットチェック結果を取得するように、以下の生成多項式を使用することによって、伝送される２２ビットデータに実施される。
ｇ＝Ｘ２０＋Ｘ１６＋Ｘ９＋Ｘ４＋Ｘ３＋Ｘ２＋１
【００６２】
次いで、ＸＯＲ演算が、新しいチェック結果を取得するように、アンテナポートの数を表すためのマスクを使用することによって、２０ビットチェック結果に実施される。８つのアンテナが伝送に使用されるため、ＸＯＲ演算は、２０ビットの新しいチェック結果を取得するために、マスク［１，０，１，０，１，０，１，０，１，０，１，０，１，０，１，０，１，０，１，０］を使用することによって、２０ビットチェック結果に実施される必要がある。
【００６３】
次いで、２０ビットの新しいチェック結果は、４２ビットの新しいデータを取得するように、伝送されるデータと連結される（２０ビットチェック結果は、伝送される２２ビットデータの前部に設置される）。
【００６４】
ポーラコードコーディングが、次いで、１／１２のコードレートを用いて４２ビットの新しいデータに実施され、５１２ビットのコード化されたデータが、取得される。
【００６５】
５１２ビットのコード化されたデータは、２０４８ビットデータを取得するように、４回繰り返される。
【００６６】
２０４８ビットデータは、２０４８ビットのスクランブルされたデータを取得するように、ビーム識別子を使用することによってスクランブルされる。
【００６７】
上記のスクランブルされたデータのうちのデータの第３のセグメントは、抽出および伝送される。
【００６８】
スクランブルされたデータでは、各セグメントの開始点は、ｍｏｄ（Ｌ＿Ｍｏｔｈｅｒ＊Ｒｅｐｅａｔ，Ｎｕｍ＿Ｓｅｇ）＋（Ｓｅｇ＿ＩＤ−１）＊ｆｌｏｏｒ（Ｌ＿Ｍｏｔｈｅｒ／Ｎｕｍ＿Ｓｅｇ）である。Ｌ＿Ｍｏｔｈｅｒは、マザーコードの長さであり、Ｎｕｍ＿Ｓｅｇは、伝送の総数であり、Ｓｅｇ＿ＩＤは、伝送の現在の数である。第３の伝送の開始ビットのシーケンス番号は、ｍｏｄ（５１２＊４，８）＋（３−１）＊ｆｌｏｏｒ（５１２／８）＝０＋２＊６４＝１２８、すなわち、１２８番目のビット（シーケンス番号は、０から開始し、番号範囲は、０，１，２，３，．．．，２０４６，２０４７である）。毎回伝送されるビットの数は、５１２または１０２４または１５３６である。抽出されたビットは、図４に示される通りである。
【００６９】
（実施形態３）
伝送されるデータの長さは、２３ビットであり、ＣＲＣの長さは、１９ビットであり、ポーラコードは、コーディングを実施するために使用され、ポーラコードのマザーコードの長さは、５１２ビットであり、単一のアンテナが、伝送に使用され、４回の反復が、コーディングの後に行われ（すなわち、４＊５１２＝２０４８ビット）、８回の伝送が、必要とされ、現在、第３の伝送が実施されることが仮定される。次いで、伝送機は、以下の動作を実施する。１９ビット巡回冗長チェックが、１９ビットチェック結果を取得するように、以下の生成多項式を使用することによって、伝送される２３ビットデータに実施される。
ｇ＝Ｘ１９＋Ｘ５＋Ｘ２＋Ｘ＋１
【００７０】
次いで、ＸＯＲ演算が、新しいチェック結果を取得するように、アンテナポートの数を表すためのマスクを使用することによって、１９ビットチェック結果に実施される。単一のアンテナが伝送に使用されるため、１９ビットチェック結果は、不変のままである。
【００７１】
ＸＯＲ演算は、次いで、１６ビットセル無線ネットワーク一時識別子および１９ビットチェック結果に実施される。長さが異なるため、演算時に、１９ビットチェック結果の中の最後の１６ビットは、新しいチェック結果を取得するように、演算のために選択される。
【００７２】
加えて、ＸＯＲ演算は、１９ビットチェック結果の最高３ビットおよびビーム識別子に実施されてもよい。
【００７３】
次いで、新しいチェック結果は、４２ビットの新しいデータを取得するように、伝送されるデータと連結される（１９ビットチェック結果は、伝送される２３ビットデータの後に設置される）。
【００７４】
ポーラコードコーディングが、次いで、１／１２のコードレートを用いて４２ビットの新しいデータに実施され、５１２ビットのコード化されたデータが、取得される。
【００７５】
５１２ビットのコード化されたデータは、２０４８ビットデータを取得するように、４回繰り返される。
【００７６】
２０４８ビットデータは、２０４８ビットのスクランブルされたデータを取得するように、ビーム識別子を使用することによってスクランブルされる。
【００７７】
上記のスクランブルされたデータのうちのデータの第３のセグメントは、抽出および伝送される。
【００７８】
スクランブルされたデータでは、各セグメントの開始点は、ｍｏｄ（Ｌ＿Ｍｏｔｈｅｒ＊Ｒｅｐｅａｔ，Ｎｕｍ＿Ｓｅｇ）＋（Ｓｅｇ＿ＩＤ−１）＊ｆｌｏｏｒ（Ｌ＿Ｍｏｔｈｅｒ／Ｎｕｍ＿Ｓｅｇ）である。Ｌ＿Ｍｏｔｈｅｒは、マザーコードの長さであり、Ｎｕｍ＿Ｓｅｇは、伝送の総数であり、Ｓｅｇ＿ＩＤは、伝送の現在の数である。第３の伝送の開始ビットのシーケンス番号は、ｍｏｄ（５１２＊４，８）＋（３−１）＊ｆｌｏｏｒ（５１２／８）＝０＋２＊６４＝１２８、すなわち、１２８番目のビット（シーケンス番号は、０から開始し、番号範囲は、０，１，２，３，．．．，２０４６，２０４７である）。毎回伝送されるビットの数は、５１２または１０２４または１５３６である。抽出されたビットは、図４に示される通りである。
【００７９】
（実施形態４）
実施形態はさらに、データを送信するための装置を提供する。本装置は、上記の実施形態を実装するように構成される。説明されたものは、繰り返されないであろう。下記で使用されるように、用語「モジュール」は、所定の機能を実装することが可能なソフトウェア、ハードウェア、またはそれらの組み合わせであってもよい。下記に説明される実施形態における装置は、好ましくは、ソフトウェアによって実装されるが、ハードウェアによる、またはソフトウェアおよびハードウェアの組み合わせによる、実装もまた、可能であり、構想される。
【００８０】
装置の中に含まれる種々のモジュールは、ネットワーク側デバイス内のプロセッサによって実装され得る、または当然ながら、具体的論理回路によっても実装され得ることに留意されたい。実装プロセスでは、プロセッサは、中央処理ユニット（ＣＰＵ）、マイクロプロセッサユニット（ＭＰＵ）、デジタル信号プロセッサ（ＤＳＰ）、フィールドプログラマブルゲートアレイ（ＦＰＧＡ）、または同等物であってもよい。
【００８１】
図５は、本発明のある実施形態による、データを送信するための装置の構造ブロック図である。図５に示されるように、本装置は、第１の処理モジュール５２と、組み合わせモジュール５４と、第２の処理モジュール５６と、伝送モジュール（または伝送機）５８とを含む。
【００８２】
第１の処理モジュール５２は、伝送されるデータに第１の所定の処理を実施し、第１の処理結果を取得するように構成される。
【００８３】
組み合わせモジュール５４は、第１の処理モジュール５２に接続され、第１の処理結果を伝送されるデータと連結し、連結されたデータを取得するように構成される。
【００８４】
第２の処理モジュール５６は、組み合わせモジュール５４に接続され、連結されたデータに第２の所定の処理を実施し、処理されたデータを取得するように構成される。処理されたデータは、データの複数のセグメントを含み、データの複数のセグメントのうちの各セグメントは、データ伝送に対応する。いくつかの実施形態では、第１の処理モジュール５２、組み合わせモジュール５４、第２の処理モジュール５６は、集合的にプロセッサと称され得る。
【００８５】
伝送モジュール５８は、第２の処理モジュール５６に接続され、処理されたデータの中にあり、ネットワーク側デバイスの現在のデータ伝送に対応する、データのセグメントを伝送するように構成される。
【００８６】
上記の装置を通して、第１の所定の処理は、第１の処理結果を取得するように、伝送されるデータに実施され、第１の処理結果は、伝送されるデータと連結される。第２の所定の処理は、連結されたデータに実施される。処理されたデータは、データの複数のセグメントを含み、データの複数のセグメントのうちの各セグメントは、データ伝送に対応する。ネットワーク側デバイスの現在のデータ伝送に対応する、データのセグメントが、伝送される。すなわち、データの各セグメントは、端末がネットワーク側デバイスによって送信されるデータを受信した後に、端末がデータに対応する伝送の回数を判定し、さらに、ネットワーク側デバイスによって伝送されるデータの伝送の回数を判定し得るように、データ伝送に対応する。したがって、端末が、受信されたデータがネットワーク側によって伝送される伝送を判定することができないという問題が、解決され得る。
【００８７】
他の実施形態では、第２の処理モジュール５６はさらに、連結されたデータにチャネルコーディングを実施して、コード化されたデータを取得し、コード化されたデータをＮ回繰り返して、繰り返しデータを取得し、規定識別子を使用することによって繰り返しデータをスクランブルし、スクランブルされたデータを取得するように構成されてもよい。Ｎは、正の整数である
【００８８】
上記の規定識別子は、ビーム識別子、セル識別子、または端末識別子のセットのうちの少なくとも１つを含み得るが、それに限定されないことに留意されたい。
【００８９】
第２の処理モジュール５６はさらに、以下のコーディング様式：ポーラコード、低密度パリティチェックコード、およびテールバイティング畳み込みコードのうちの少なくとも１つで、連結されたデータにチャネルコーディングを実施するように構成され得ることに留意されたい。
【００９０】
第２の処理モジュール５６はさらに、規定識別子および繰り返しデータを使用することによって生成されるスクランブリングシーケンスにＸＯＲ演算を実施し、スクランブルされたデータを取得するように構成され得ることに留意されたい。
【００９１】
スクランブリングシーケンスは、ゴールドコード、Ｍ−シーケンス、およびＺＣシーケンスのうちの少なくとも１つを含むことに留意されたい。
【００９２】
ゴールドコードは、Ｍ−シーケンスから導出される疑似ランダムコードであり、一対のＭ−シーケンスの変位へのモジュロ−２加算によって形成されることに留意されたい。Ｍ−シーケンスは、最大長線形シフトレジスタの略称であり、疑似ランダムシーケンス、疑似雑音コード、または疑似ランダムコードである。ＺＣシーケンスは、Ｚａｄｏｆｆ−Ｃｈｕシーケンスである。
【００９３】
他の実施形態では、第１の処理モジュール５２はさらに、伝送されるデータに巡回冗長チェックを実施して、第１のチェック結果を取得することと、第１のチェック結果に以下の動作：アンテナポートの数を表すためのマスクを使用することによって第１のチェック結果に所定の演算を実施すること、およびセル無線ネットワーク一時識別子および第１のチェック結果にＸＯＲ演算を実施することのうちの少なくとも１つを実施し、第１の処理結果を取得することとを実施するように構成されてもよい。
【００９４】
巡回冗長チェックに使用される８チェックビットの場合、巡回冗長チェックを実施する際に使用される生成多項式ｇは、ｇ＝Ｘ８＋Ｘ７＋Ｘ４＋Ｘ３＋Ｘ＋１、ｇ＝Ｘ８＋Ｘ２＋Ｘ＋１、ｇ＝Ｘ８＋Ｘ４＋Ｘ３＋Ｘ＋１、またはｇ＝Ｘ８＋Ｘ４＋Ｘ３＋Ｘ２＋１のうちの少なくとも１つを含み、巡回冗長チェックに使用される１６チェックビットの場合、巡回冗長チェックを実施する際に使用される生成多項式ｇは、ｇ＝Ｘ１６＋Ｘ１２＋Ｘ５＋１、ｇ＝Ｘ１６＋Ｘ２＋Ｘ＋１、またはｇ＝Ｘ１６＋Ｘ１４＋Ｘ＋１のうちの少なくとも１つを含み、巡回冗長チェックに使用される１７チェックビットの場合、巡回冗長チェックを実施する際に使用される生成多項式ｇは、ｇ＝Ｘ１７＋Ｘ３＋１、ｇ＝Ｘ１７＋Ｘ１２＋Ｘ１１＋Ｘ６＋Ｘ４＋Ｘ＋１、またはｇ＝Ｘ１７＋Ｘ１３＋Ｘ１１＋Ｘ１０＋Ｘ７＋Ｘ５＋Ｘ４＋Ｘ３＋Ｘ＋１のうちの少なくとも１つを含み、巡回冗長チェックに使用される１８チェックビットの場合、巡回冗長チェックを実施する際に使用される生成多項式ｇは、ｇ＝Ｘ１８＋Ｘ５＋Ｘ２＋Ｘ＋１、ｇ＝Ｘ１８＋Ｘ１６＋Ｘ１５＋Ｘ１３＋Ｘ８＋Ｘ５＋Ｘ４＋Ｘ３＋Ｘ２＋Ｘ＋１、またはｇ＝Ｘ１８＋Ｘ１６＋Ｘ１１＋Ｘ１０＋Ｘ９＋Ｘ８＋Ｘ６＋Ｘ５＋Ｘ４＋Ｘ＋１のうちの少なくとも１つを含み、巡回冗長チェックに使用される１９チェックビットの場合、巡回冗長チェックを実施する際に使用される生成多項式ｇは、ｇ＝Ｘ１９＋Ｘ５＋Ｘ２＋Ｘ＋１、ｇ＝Ｘ１９＋Ｘ１６＋Ｘ８＋Ｘ５＋Ｘ４＋Ｘ３＋Ｘ２＋Ｘ＋１、またはｇ＝Ｘ１９＋Ｘ１２＋Ｘ９＋Ｘ８＋Ｘ６＋Ｘ５＋Ｘ４＋Ｘ２＋１のうちの少なくとも１つを含み、巡回冗長チェックに使用される２０チェックビットの場合、巡回冗長チェックを実施する際に使用される生成多項式ｇは、ｇ＝Ｘ２０＋Ｘ３＋１、ｇ＝Ｘ２０＋Ｘ１６＋Ｘ９＋Ｘ４＋Ｘ３＋Ｘ２＋１、またはｇ＝Ｘ２０＋Ｘ１９＋Ｘ１８＋Ｘ１４＋Ｘ６＋Ｘ２＋Ｘ＋１のうちの少なくとも１つを含み、巡回冗長チェックに使用される２１チェックビットの場合、巡回冗長チェックを実施する際に使用される生成多項式ｇは、ｇ＝Ｘ２１＋Ｘ２＋１、ｇ＝Ｘ２１＋Ｘ２０＋Ｘ１３＋Ｘ１１＋Ｘ７＋Ｘ４＋Ｘ３＋１、またはｇ＝Ｘ２１＋Ｘ２０＋Ｘ１８＋Ｘ１６＋Ｘ１４＋Ｘ１３＋Ｘ１０＋Ｘ９＋Ｘ７＋Ｘ３＋１のうちの少なくとも１つを含み、巡回冗長チェックに使用される２２チェックビットの場合、巡回冗長チェックを実施する際に使用される生成多項式ｇは、ｇ＝Ｘ２２＋Ｘ＋１のうちの少なくとも１つを含み、巡回冗長チェックに使用される２３チェックビットの場合、巡回冗長チェックを実施する際に使用される生成多項式ｇは、ｇ＝Ｘ２３＋Ｘ５＋１のうちの少なくとも１つを含み、巡回冗長チェックに使用される２４チェックビットの場合、巡回冗長チェックを実施する際に使用される生成多項式ｇは、ｇ＝Ｘ２４＋Ｘ４＋Ｘ３＋Ｘ＋１、ｇ＝Ｘ２４＋Ｘ２３＋Ｘ６＋Ｘ５＋Ｘ＋１、またはｇ＝Ｘ２４＋Ｘ２３＋Ｘ１８＋Ｘ１７＋Ｘ１４＋Ｘ１１＋Ｘ１０＋Ｘ７＋Ｘ６＋Ｘ５＋Ｘ４＋Ｘ３＋Ｘ＋１のうちの少なくとも１つを含み、巡回冗長チェックに使用される３２チェックビットの場合、巡回冗長チェックを実施する際に使用される生成多項式ｇは、ｇ＝Ｘ３２＋Ｘ７＋Ｘ５＋Ｘ３＋Ｘ２＋Ｘ＋１、ｇ＝Ｘ３２＋Ｘ２９＋Ｘ１８＋Ｘ１４＋Ｘ３＋１、またはｇ＝Ｘ３２＋Ｘ１４＋Ｘ１２＋Ｘ１０＋Ｘ９＋Ｘ８＋Ｘ４＋Ｘ３＋Ｘ＋１のうちの少なくとも１つを含むことに留意されたい。Ｘという累乗指数は、巡回冗長チェックを実施する際に使用されるチェックビットを示すために使用される。
【００９５】
アンテナポートが単一アンテナポートである場合において、マスクは、数Ｌ＿ＣＲＣの２進ビット「０」を含むことに留意されたい。アンテナポートが２アンテナポートである場合において、マスクは、数Ｌ＿ＣＲＣの２進ビット「１」を含む。アンテナポートが４アンテナポートである場合において、マスクは、数ｆｌｏｏｒ（Ｌ＿ＣＲＣ／２）の２進列「０１」と、数ｍｏｄ（Ｌ＿ＣＲＣ，２）の２進ビット「０」とを含む。アンテナポートが８アンテナポートである場合において、マスクは、数ｆｌｏｏｒ（Ｌ＿ＣＲＣ／２）の２進列「１０」と、数ｍｏｄ（Ｌ＿ＣＲＣ，２）の２進ビット「１」とを含む。アンテナポートが１６アンテナポートである場合において、マスクは、数ｆｌｏｏｒ（Ｌ＿ＣＲＣ／４）の２進列「０１１０」および数ｍｏｄ（Ｌ＿ＣＲＣ，４）の２進ビット「１」、ｆｌｏｏｒ（Ｌ＿ＣＲＣ／４）２進列「０１１０」および第１のビットからｆｌｏｏｒ（Ｌ＿ＣＲＣ／４）２進列「０１１０」のｍｏｄ（Ｌ＿ＣＲＣ，４）番目のビットまでの複数のビット、またはｆｌｏｏｒ（Ｌ＿ＣＲＣ／４）２進列「０１１０」および最後のビットからｆｌｏｏｒ（Ｌ＿ＣＲＣ／４）２進列「０１１０」の最後のビットからｍｏｄ（Ｌ＿ＣＲＣ，４）番目のビットまでの複数のビットのうちの１つを含む。アンテナポートが３２アンテナポートである場合において、マスクは、数ｆｌｏｏｒ（Ｌ＿ＣＲＣ／４）の２進列「１００１」および数ｍｏｄ（Ｌ＿ＣＲＣ，４）の２進ビット「０」、ｆｌｏｏｒ（Ｌ＿ＣＲＣ／４）２進列「１００１」および第１のビットからｆｌｏｏｒ（Ｌ＿ＣＲＣ／４）２進列「１００１」のｍｏｄ（Ｌ＿ＣＲＣ，４）番目のビットまでの複数のビット、またはｆｌｏｏｒ（Ｌ＿ＣＲＣ／４）２進列「１００１」および最後のビットからｆｌｏｏｒ（Ｌ＿ＣＲＣ／４）２進列「１００１」の最後のビットからｍｏｄ（Ｌ＿ＣＲＣ，４）番目のビットまでの複数のビットのうちの１つを含む。Ｌ＿ＣＲＣは、巡回冗長チェックのビット数、セル識別子のビット数、ビーム識別子のビット数、セル無線ネットワーク一時識別子のビット数、または予備ビットの数を引いた巡回冗長チェックのビット数のビット数のうちの少なくとも１つを含む。予備ビットの数は、０〜１６の任意の整数であり、ｆｌｏｏｒ（）は、切り捨て演算であり、ｍｏｄ（Ｌ＿ＣＲＣ，２）は、Ｌ＿ＣＲＣへのモジュロ−２演算であり、ｍｏｄ（Ｌ＿ＣＲＣ，４）は、Ｌ＿ＣＲＣへのモジュロ−４演算である。
【００９６】
第１の処理モジュール５２はさらに、以下の動作：マスクおよび第１のチェック結果にＸＯＲ演算を実施すること、またはマスクおよび第１のチェック結果にモジュロ−２加法演算を実施することのうちの少なくとも１つを実施するように構成され得ることに留意されたい。
【００９７】
第１の処理モジュール５２はさらに、以下の動作：セル無線ネットワーク一時識別子のビット数が第１のチェック結果のビット数未満である場合において、所定数の２進ビット「０」をセル無線ネットワーク一時識別子の前部または後部に追加して、第１のセル無線ネットワーク一時識別子を取得し、第１のセル無線ネットワーク一時識別子および第１のチェック結果にＸＯＲ演算を実施すること、またはセル無線ネットワーク一時識別子のビット数が第１のチェック結果のビット数を上回る場合において、所定数の２進ビット「０」を第１のチェック結果の前部または後部に追加して、第２のチェック結果を取得し、セル無線ネットワーク一時識別子および第２のチェック結果にＸＯＲ演算を実施することのうちの少なくとも１つを実施するように構成され得ることに留意されたい。所定数は、セル無線ネットワーク識別子のビット数と第１のチェック結果のビット数との間の差の絶対値である。
【００９８】
他の実施形態では、組み合わせモジュール５４はさらに、以下の動作：伝送されるデータの前に第１の処理結果を設置し、連結されたデータを取得すること、伝送されるデータの中央に第１の処理結果を設置し、連結されたデータを取得すること、および伝送されるデータの後に第１の処理結果を設置し、連結されたデータを取得することのうちの少なくとも１つを実施するように構成され得る。伝送されるデータの中で伝送される全Ｍデータビットは、第１の処理結果のデータのビットを伴って挿入され、第１の処理結果の全てのビットは、連結されたデータを取得するように伝送されるデータの中に挿入される。Ｍは、自然数である。
【００９９】
データの複数のセグメントの中のデータの少なくとも２つのセグメントは、重複データを有する、またはいかなる重複データも、データの複数のセグメントの中に存在せず、本発明は、それに限定されないことに留意されたい。
【０１００】
上記の装置は、基地局等のネットワーク側デバイスの中に位置してもよいが、必ずしもそうではなくてもよいことに留意されたい。
【０１０１】
上記に説明される種々のモジュールは、ソフトウェアまたはハードウェアによって実施され得ることに留意されたい。ハードウェアによる実装は、以下の様式：上記に説明される種々のモジュールが同一のプロセッサの中に位置すること、または上記に説明される種々のモジュールが任意の組み合わせの形態でそれらの個別のプロセッサの中に位置することで実装されてもよいが、必ずしもそうではなくてもよい。
【０１０２】
（実施形態４）
本発明の実施形態はさらに、データを処理するための装置を提供する。装置の中に含まれる種々のモジュールは、端末内のプロセッサによって実装されてもよい、または当然ながら、具体的論理回路によって実装されてもよい。実装プロセスでは、プロセッサは、中央処理ユニット（ＣＰＵ）、マイクロプロセッサユニット（ＭＰＵ）、デジタル信号プロセッサ（ＤＳＰ）、フィールドプログラマブルゲートアレイ（ＦＰＧＡ）、または同等物であってもよい。
【０１０３】
図６は、本発明の実施形態による、データを処理するための装置の構造ブロック図である。図６に示されるように、本装置は、受信モジュール６２と、判定モジュール６４とを含む。
【０１０４】
受信モジュール６２は、ネットワーク側デバイスによって送信されるデータを受信するように構成される。データは、ネットワーク側デバイスによって伝送される事前処理データから取得されるデータの間のデータのセグメントである。
【０１０５】
判定モジュール６４は、受信モジュール６２に接続され、データのセグメントとデータ伝送の回数との間の事前設定された対応および受信されたデータに従って、受信されたデータに対応するデータ伝送の回数を判定するように構成される。
【０１０６】
上記の装置を通して、受信されたデータに対応するデータ伝送の回数は、端末が、ネットワーク側によって伝送される受信されたデータの伝送の回数を把握するように、データのセグメントとデータ伝送の回数との間の事前設定された対応に従って、判定され、それによって、端末が、受信されたデータがネットワーク側によって伝送される伝送を判定することができないという問題を解決する。
【０１０７】
対応は、ネットワーク側デバイスと端末との間で事前に定義され得、また、端末のためにネットワーク側デバイスによって事前に構成され得るが、それに限定されないことに留意されたい。対応は、事前処理されたデータの中のデータのセグメントの開始点とデータ伝送の回数との間の対応を含み得ることに留意されたい。
【０１０８】
他の実施形態では、判定モジュール５４はさらに、事前処理されたデータの中の受信されたデータの開始位置を取得し、開始位置に従って、開始位置に合致するデータ伝送の回数に関して対応を検索するように構成されてもよい。
【０１０９】
上記の装置は、端末の中に位置してもよいが、必ずしもそうではなくてもよいことに留意されたい。
【０１１０】
上記に説明される種々のモジュールは、ソフトウェアまたはハードウェアによって実施され得ることに留意されたい。ハードウェアによる実装は、以下の様式：上記に説明される種々のモジュールが同一のプロセッサの中に位置すること、または上記に説明される種々のモジュールが任意の組み合わせの形態でそれらの個別のプロセッサの中に位置することで実装されてもよいが、必ずしもそうではなくてもよい。
【０１１１】
（実施形態５）
本発明の実施形態はさらに、ネットワーク側デバイスを提供する。図７は、本発明の実施形態による、ネットワーク側デバイスの構造ブロック図である。図７に示されるように、ネットワーク側デバイスは、プロセッサ７２と、メモリ７４とを含む。
【０１１２】
プロセッサ７２は、伝送されるデータに第１の所定の処理を実施して、第１の処理結果を取得し、第１の処理結果を伝送されるデータと連結して、連結されたデータを取得し、連結されたデータに第２の所定の処理を実施して、処理されたデータを取得し、処理されたデータの中にあり、ネットワーク側デバイスの現在のデータ伝送に対応する、データのセグメントを伝送するように構成される。処理されたデータは、データの複数のセグメントを備え、データの複数のセグメントのうちの各セグメントは、データ伝送に対応する。
【０１１３】
メモリ７４は、プロセッサ７２に結合される。
【０１１４】
上記のネットワーク側デバイスを通して、第１の所定の処理は、第１の処理結果を取得するように、伝送されるデータに実施され、第１の処理結果は、伝送されるデータと連結される。第２の所定の処理は、連結されたデータに実施される。処理されたデータは、データの複数のセグメントを含み、データの複数のセグメントのうちの各セグメントは、データ伝送に対応する。ネットワーク側デバイスの現在のデータ伝送に対応する、データのセグメントが、伝送される。すなわち、データの各セグメントは、端末がネットワーク側デバイスによって送信されるデータを受信した後に、端末がデータに対応する伝送の回数を判定し、さらに、ネットワーク側デバイスによって伝送されるデータの伝送の回数を判定し得るように、データ伝送に対応する。したがって、端末が、受信されたデータがネットワーク側によって伝送される伝送を判定することができないという問題が、解決され得る。
【０１１５】
他の実施形態では、プロセッサ７２はさらに、連結されたデータにチャネルコーディングを実施して、コード化されたデータを取得し、コード化されたデータをＮ回繰り返して、繰り返しデータを取得し、規定識別子を使用することによって繰り返しデータをスクランブルし、スクランブルされたデータを取得するように構成されてもよい。Ｎは、正の整数である。
【０１１６】
上記の規定識別子は、ビーム識別子、セル識別子、または端末識別子のセットのうちの少なくとも１つを含んでもよいが、必ずしも含まなくてもよいことに留意されたい。
【０１１７】
プロセッサ７２はさらに、以下のコーディング様式：ポーラコード、低密度パリティチェックコード、およびテールバイティング畳み込みコードのうちの少なくとも１つで、連結されたデータにチャネルコーディングを実施するように構成され得ることに留意されたい。
【０１１８】
プロセッサ７２はさらに、規定識別子および繰り返しデータを使用することによって生成されるスクランブリングシーケンスにＸＯＲ演算を実施し、スクランブルされたデータを取得するように構成され得ることに留意されたい。
【０１１９】
スクランブリングシーケンスは、ゴールドコード、Ｍ−シーケンス、およびＺＣシーケンスのうちの少なくとも１つを含むことに留意されたい。
【０１２０】
ゴールドコードは、Ｍ−シーケンスから導出される疑似ランダムコードであり、一対のＭ−シーケンスの変位へのモジュロ−２加算によって形成されることに留意されたい。Ｍ−シーケンスは、最大長線形シフトレジスタの略称であり、疑似ランダムシーケンス、疑似雑音コード、または疑似ランダムコードである。ＺＣシーケンスは、Ｚａｄｏｆｆ−Ｃｈｕシーケンスである。
【０１２１】
他の実施形態では、プロセッサ７２はさらに、伝送されるデータに巡回冗長チェックを実施して、第１のチェック結果を取得することと、第１のチェック結果に以下の動作：アンテナポートの数を表すためのマスクを使用することによって第１のチェック結果に所定の演算を実施すること、およびセル無線ネットワーク一時識別子および第１のチェック結果にＸＯＲ演算を実施することのうちの少なくとも１つを実施し、第１の処理結果を取得することとを実施するように構成されてもよい。
【０１２２】
巡回冗長チェックに使用される８チェックビットの場合、巡回冗長チェックを実施する際に使用される生成多項式ｇは、ｇ＝Ｘ８＋Ｘ７＋Ｘ４＋Ｘ３＋Ｘ＋１、ｇ＝Ｘ８＋Ｘ２＋Ｘ＋１、ｇ＝Ｘ８＋Ｘ４＋Ｘ３＋Ｘ＋１、またはｇ＝Ｘ８＋Ｘ４＋Ｘ３＋Ｘ２＋１のうちの少なくとも１つを含み、巡回冗長チェックに使用される１６チェックビットの場合、巡回冗長チェックを実施する際に使用される生成多項式ｇは、ｇ＝Ｘ１６＋Ｘ１２＋Ｘ５＋１、ｇ＝Ｘ１６＋Ｘ２＋Ｘ＋１、またはｇ＝Ｘ１６＋Ｘ１４＋Ｘ＋１のうちの少なくとも１つを含み、巡回冗長チェックに使用される１７チェックビットの場合、巡回冗長チェックを実施する際に使用される生成多項式ｇは、ｇ＝Ｘ１７＋Ｘ３＋１、ｇ＝Ｘ１７＋Ｘ１２＋Ｘ１１＋Ｘ６＋Ｘ４＋Ｘ＋１、またはｇ＝Ｘ１７＋Ｘ１３＋Ｘ１１＋Ｘ１０＋Ｘ７＋Ｘ５＋Ｘ４＋Ｘ３＋Ｘ＋１のうちの少なくとも１つを含み、巡回冗長チェックに使用される１８チェックビットの場合、巡回冗長チェックを実施する際に使用される生成多項式ｇは、ｇ＝Ｘ１８＋Ｘ５＋Ｘ２＋Ｘ＋１、ｇ＝Ｘ１８＋Ｘ１６＋Ｘ１５＋Ｘ１３＋Ｘ８＋Ｘ５＋Ｘ４＋Ｘ３＋Ｘ２＋Ｘ＋１、またはｇ＝Ｘ１８＋Ｘ１６＋Ｘ１１＋Ｘ１０＋Ｘ９＋Ｘ８＋Ｘ６＋Ｘ５＋Ｘ４＋Ｘ＋１のうちの少なくとも１つを含み、巡回冗長チェックに使用される１９チェックビットの場合、巡回冗長チェックを実施する際に使用される生成多項式ｇは、ｇ＝Ｘ１９＋Ｘ５＋Ｘ２＋Ｘ＋１、ｇ＝Ｘ１９＋Ｘ１６＋Ｘ８＋Ｘ５＋Ｘ４＋Ｘ３＋Ｘ２＋Ｘ＋１、またはｇ＝Ｘ１９＋Ｘ１２＋Ｘ９＋Ｘ８＋Ｘ６＋Ｘ５＋Ｘ４＋Ｘ２＋１のうちの少なくとも１つを含み、巡回冗長チェックに使用される２０チェックビットの場合、巡回冗長チェックを実施する際に使用される生成多項式ｇは、ｇ＝Ｘ２０＋Ｘ３＋１、ｇ＝Ｘ２０＋Ｘ１６＋Ｘ９＋Ｘ４＋Ｘ３＋Ｘ２＋１、またはｇ＝Ｘ２０＋Ｘ１９＋Ｘ１８＋Ｘ１４＋Ｘ６＋Ｘ２＋Ｘ＋１のうちの少なくとも１つを含み、巡回冗長チェックに使用される２１チェックビットの場合、巡回冗長チェックを実施する際に使用される生成多項式ｇは、ｇ＝Ｘ２１＋Ｘ２＋１、ｇ＝Ｘ２１＋Ｘ２０＋Ｘ１３＋Ｘ１１＋Ｘ７＋Ｘ４＋Ｘ３＋１、またはｇ＝Ｘ２１＋Ｘ２０＋Ｘ１８＋Ｘ１６＋Ｘ１４＋Ｘ１３＋Ｘ１０＋Ｘ９＋Ｘ７＋Ｘ３＋１のうちの少なくとも１つを含み、巡回冗長チェックに使用される２２チェックビットの場合、巡回冗長チェックを実施する際に使用される生成多項式ｇは、ｇ＝Ｘ２２＋Ｘ＋１のうちの少なくとも１つを含み、巡回冗長チェックに使用される２３チェックビットの場合、巡回冗長チェックを実施する際に使用される生成多項式ｇは、ｇ＝Ｘ２３＋Ｘ５＋１のうちの少なくとも１つを含み、巡回冗長チェックに使用される２４チェックビットの場合、巡回冗長チェックを実施する際に使用される生成多項式ｇは、ｇ＝Ｘ２４＋Ｘ４＋Ｘ３＋Ｘ＋１、ｇ＝Ｘ２４＋Ｘ２３＋Ｘ６＋Ｘ５＋Ｘ＋１、またはｇ＝Ｘ２４＋Ｘ２３＋Ｘ１８＋Ｘ１７＋Ｘ１４＋Ｘ１１＋Ｘ１０＋Ｘ７＋Ｘ６＋Ｘ５＋Ｘ４＋Ｘ３＋Ｘ＋１のうちの少なくとも１つを含み、巡回冗長チェックに使用される３２チェックビットの場合、巡回冗長チェックを実施する際に使用される生成多項式ｇは、ｇ＝Ｘ３２＋Ｘ７＋Ｘ５＋Ｘ３＋Ｘ２＋Ｘ＋１、ｇ＝Ｘ３２＋Ｘ２９＋Ｘ１８＋Ｘ１４＋Ｘ３＋１、またはｇ＝Ｘ３２＋Ｘ１４＋Ｘ１２＋Ｘ１０＋Ｘ９＋Ｘ８＋Ｘ４＋Ｘ３＋Ｘ＋１のうちの少なくとも１つを含むことに留意されたい。Ｘという累乗指数は、巡回冗長チェックを実施する際に使用されるチェックビットを示すために使用される。
【０１２３】
アンテナポートが単一アンテナポートである場合において、マスクは、数Ｌ＿ＣＲＣの２進ビット「０」を含むことに留意されたい。アンテナポートが２アンテナポートである場合において、マスクは、数Ｌ＿ＣＲＣの２進ビット「１」を含む。アンテナポートが４アンテナポートである場合において、マスクは、数ｆｌｏｏｒ（Ｌ＿ＣＲＣ／２）の２進列「０１」と、数ｍｏｄ（Ｌ＿ＣＲＣ，２）の２進ビット「０」とを含む。アンテナポートが８アンテナポートである場合において、マスクは、数ｆｌｏｏｒ（Ｌ＿ＣＲＣ／２）の２進列「１０」と、数ｍｏｄ（Ｌ＿ＣＲＣ，２）の２進ビット「１」とを含む。アンテナポートが１６アンテナポートである場合において、マスクは、数ｆｌｏｏｒ（Ｌ＿ＣＲＣ／４）の２進列「０１１０」および数ｍｏｄ（Ｌ＿ＣＲＣ，４）の２進ビット「１」、ｆｌｏｏｒ（Ｌ＿ＣＲＣ／４）２進列「０１１０」および第１のビットからｆｌｏｏｒ（Ｌ＿ＣＲＣ／４）２進列「０１１０」のｍｏｄ（Ｌ＿ＣＲＣ，４）番目のビットまでの複数のビット、またはｆｌｏｏｒ（Ｌ＿ＣＲＣ／４）２進列「０１１０」および最後のビットからｆｌｏｏｒ（Ｌ＿ＣＲＣ／４）２進列「０１１０」の最後のビットからｍｏｄ（Ｌ＿ＣＲＣ，４）番目のビットまでの複数のビットのうちの１つを含む。アンテナポートが３２アンテナポートである場合において、マスクは、数ｆｌｏｏｒ（Ｌ＿ＣＲＣ／４）の２進列「１００１」および数ｍｏｄ（Ｌ＿ＣＲＣ，４）の２進ビット「０」、ｆｌｏｏｒ（Ｌ＿ＣＲＣ／４）２進列「１００１」および第１のビットからｆｌｏｏｒ（Ｌ＿ＣＲＣ／４）２進列「１００１」のｍｏｄ（Ｌ＿ＣＲＣ，４）番目のビットまでの複数のビット、またはｆｌｏｏｒ（Ｌ＿ＣＲＣ／４）２進列「１００１」および最後のビットからｆｌｏｏｒ（Ｌ＿ＣＲＣ／４）２進列「１００１」の最後のビットからｍｏｄ（Ｌ＿ＣＲＣ，４）番目のビットまでの複数のビットのうちの１つを含む。Ｌ＿ＣＲＣは、巡回冗長チェックのビット数、セル識別子のビット数、ビーム識別子のビット数、セル無線ネットワーク一時識別子のビット数、または予備ビットの数を引いた巡回冗長チェックのビット数のビット数のうちの少なくとも１つを含む。予備ビットの数は、０〜１６の任意の整数であり、ｆｌｏｏｒ（）は、切り捨て演算であり、ｍｏｄ（Ｌ＿ＣＲＣ，２）は、Ｌ＿ＣＲＣへのモジュロ−２演算であり、ｍｏｄ（Ｌ＿ＣＲＣ，４）は、Ｌ＿ＣＲＣへのモジュロ−４演算である。
【０１２４】
プロセッサ７２はさらに、以下の動作：マスクおよび第１のチェック結果にＸＯＲ演算を実施すること、またはマスクおよび第１のチェック結果にモジュロ−２加法演算を実施することのうちの少なくとも１つを実施するように構成され得ることに留意されたい。
【０１２５】
プロセッサ７２はさらに、以下の動作：セル無線ネットワーク一時識別子のビット数が第１のチェック結果のビット数未満である場合において、所定数の２進ビット「０」をセル無線ネットワーク一時識別子の前部または後部に追加して、第１のセル無線ネットワーク一時識別子を取得し、第１のセル無線ネットワーク一時識別子および第１のチェック結果にＸＯＲ演算を実施すること、またはセル無線ネットワーク一時識別子のビット数が第１のチェック結果のビット数を上回る場合において、所定数の２進ビット「０」を第１のチェック結果の前部または後部に追加して、第２のチェック結果を取得し、セル無線ネットワーク一時識別子および第２のチェック結果にＸＯＲ演算を実施することのうちの少なくとも１つを実施するように構成され得ることに留意されたい。所定数は、セル無線ネットワーク識別子のビット数と第１のチェック結果のビット数との間の差の絶対値である。
【０１２６】
他の実施形態では、プロセッサ７２はさらに、以下の動作：伝送されるデータの前に第１の処理結果を設置し、連結されたデータを取得すること、伝送されるデータの中央に第１の処理結果を設置し、連結されたデータを取得すること、および伝送されるデータの後に第１の処理結果を設置し、連結されたデータを取得することのうちの少なくとも１つを実施するように構成され得る。伝送されるデータの中で伝送される全Ｍデータビットは、第１の処理結果のデータのビットを伴って挿入され、第１の処理結果の全てのビットは、連結されたデータを取得するように伝送されるデータの中に挿入される。Ｍは、自然数である。
【０１２７】
データの複数のセグメントの中のデータの少なくとも２つのセグメントは、重複データを有する、またはいかなる重複データも、データの複数のセグメントの中に存在せず、本発明は、それに限定されないことに留意されたい。
【０１２８】
（実施形態６）
本発明の実施形態はさらに、端末を提供する。図８は、本発明の実施形態による、端末の構造ブロック図である。図８に示されるように、端末は、プロセッサ８２と、メモリ８４とを含む。
【０１２９】
プロセッサ８２は、ネットワーク側デバイスによって送信されるデータを受信し、データのセグメントとデータ伝送の回数との間の事前設定された対応および受信されたデータに従って、受信されたデータに対応するデータ伝送の回数を判定するように構成される。データは、ネットワーク側デバイスによって伝送される事前処理データから取得されるデータの間のデータのセグメントである。
【０１３０】
メモリ８４は、プロセッサ８２に結合される。
【０１３１】
上記の端末を通して、受信されたデータに対応するデータ伝送の回数は、端末が、ネットワーク側によって伝送される受信されたデータの伝送の回数を把握するように、データのセグメントとデータ伝送の回数との間の事前設定された対応に従って、判定され、それによって、端末が、受信されたデータがネットワーク側によって伝送される伝送を判定することができないという問題を解決する。
【０１３２】
対応は、ネットワーク側デバイスと端末との間で事前に合意され得、また、端末のためにネットワーク側デバイスによって事前に構成され得るが、それに限定されないことに留意されたい。
【０１３３】
対応は、事前処理されたデータの中のデータのセグメントの開始点とデータ伝送の回数との間の対応を含み得ることに留意されたい。
【０１３４】
他の実施形態では、プロセッサ８２はさらに、事前処理されたデータの中の受信されたデータの開始位置を取得し、開始位置に従って、開始位置に合致するデータ伝送の回数に関して対応を検索するように構成されてもよい。
【０１３５】
本発明の実施形態はさらに、システムを提供する。本システムは、実施形態５に説明されるネットワーク側デバイスと、実施形態６に説明される端末とを含む。
【０１３６】
（実施形態７）
本発明の実施形態では、データを送信するための方法およびデータを処理するための方法はまた、ソフトウェア機能モジュールの形態で実装され、独立した製品として販売または使用される場合、コンピュータ可読記憶媒体の中に記憶され得ることに留意されたい。本理解に基づいて、本発明の実施形態によって提供される技術的ソリューションは、実質的に、または関連技術分野に寄与する部分は、ソフトウェア製品の形態で具現化されてもよい。コンピュータソフトウェア製品は、記憶媒体の中に記憶され、コンピュータデバイス（パーソナルコンピュータ、サーバ、またはネットワークデバイス等であり得る）が本発明の各実施形態によって提供される方法の全てまたは一部を実施することを可能にするためのいくつかの命令を含む。前述の記憶媒体は、ＵＳＢフラッシュディスク、モバイルハードディスク、読取専用メモリ（ＲＯＭ）、磁気ディスク、光ディスク、またはプログラムコードを記憶することが可能な別の媒体を含む。このようにして、本発明の実施形態は、ハードウェアおよびソフトウェアのいかなる特定の組み合わせにも限定されない。
【０１３７】
対応して、本発明の実施形態はさらに、記憶媒体を提供する。記憶媒体は、実行されると、上記の実施形態のいずれか１つに説明される方法を実施する、記憶されたプログラムを含む。
【０１３８】
他の実施形態では、記憶媒体は、ＵＳＢフラッシュディスク、読取専用メモリ（ＲＯＭ）、ランダムアクセスメモリ（ＲＡＭ）、モバイルハードディスク、磁気ディスク、光ディスク、またはプログラムコードを記憶することが可能な別の媒体を含んでもよいが、必ずしも含まなくてもよい。
【０１３９】
本発明の実施形態はさらに、プロセッサを提供する。プロセッサは、プログラムを実行するように構成され、プログラムは、実行されると、上記の実施形態のいずれか１つの方法のステップを実施する。
【０１４０】
他の実施形態では、実施形態における具体的実施例に関して、上記の実施形態および実装様態に説明される実施例が参照されてもよく、繰り返しは、実施形態では行われないであろう。
【０１４１】
本明細書の全体を通して記述される「一実施形態」または「実施形態」は、実施形態に関連する特定の特徴、構造、または特性が、本発明の少なくとも１つの実施形態の中に含まれることを意味すると理解されたい。したがって、本明細書の全体を通した種々の場所での語句「一実施形態では」または「実施形態では」の表出は、必ずしも同一の実施形態を指しているわけではない。加えて、これらの特定の特徴、構造、または特性は、任意の好適な様式で１つ以上の実施形態において連結されてもよい。本発明の種々の実施形態では、上記のプロセスのシーケンス番号は、実行順を意味せず、上記のプロセスの実行順は、いかなる不適切な方法でも本発明の実装プロセスを限定するべきではない、それらの機能および内部論理に従って判定されるべきであることを理解されたい。本発明の上記に説明される実施形態のシーケンス番号は、説明を容易にするためにすぎず、実施形態の優性および劣性を示さない。
【０１４２】
本明細書で使用されるように、用語「ｃｏｍｐｒｉｓｉｎｇ（〜を備える）」、「ｉｎｃｌｕｄｉｎｇ（〜を含む）」、またはそれらの任意の他の変異形は、一連の要素を含むプロセス、方法、物品、または装置が、明示的に列挙された要素を含むだけではなく、明示的に列挙されてない、またはそのようなプロセス、方法、物品、もしくは装置に不可欠である、他の要素も含むように、非排他的内包を包含することを意図していることに留意されたい。より多くの制限がない場合、記述「ｉｎｃｌｕｄｉｎｇ  ａ．．．（１つの．．．を含む）」によって定義される要素は、要素を含むプロセス、方法、物品、または装置の中の付加的な同じ要素の存在を除外しない。
【０１４３】
本発明の実施形態に開示されるデバイスおよび方法は、他の方法で実装され得ることを理解されたい。上記に説明されるデバイスの実施形態は、例示的にすぎない。例えば、ユニット分割は、論理機能分割にすぎず、実践では、ユニット分割は、他の方法で実装されてもよい。例えば、複数のユニットもしくはコンポーネントが、連結されてもよい、または別のシステムに統合されてもよい、もしくはいくつかの特徴は、省略される、または実行されなくてもよい。加えて、提示または議論されるコンポーネントの間の結合、直接結合、または通信接続は、デバイスまたはユニットの間のインターフェースを介した間接結合または通信接続であってもよく、電気、機械、または他の形態であってもよい。
【０１４４】
別個のコンポーネントとして上記に説明されるユニットは、物理的に分離される場合とそうではない場合がある。ユニットとして提示されるコンポーネントは、物理的ユニットである場合とそうではない場合がある、すなわち、１つの場所に位置してもよい、または複数のネットワークユニットにわたって分配されてもよい。これらのユニットの一部または全ては、本発明の実施形態においてソリューションの目的を達成するように、実用的要件に従って選択されてもよい。
【０１４５】
また、本発明の実施形態における種々の機能ユニットは全て、１つの処理ユニットの中で統合されてもよい、または各ユニットが、別個のユニットとして使用されてもよい、または２つ以上のユニットが、１つのユニットに統合されてもよい。統合型機能ユニットは、ハードウェアによって実装されてもよい、またはソフトウェア機能ユニットを加えたハードウェアによって実装されてもよい。
【０１４６】
上記に説明される方法の実施形態におけるステップの全てまたは一部は、プログラム命令に関連するハードウェアによって実装され得、これらのプログラムは、コンピュータ可読記憶媒体の中に記憶され得、実行されると、これらのプログラムは、上記に説明される方法の実施形態を含むステップを実行し、前述の記憶媒体は、リムーバブル記憶デバイス、読取専用メモリ（ＲＯＭ）、磁気ディスク、または光ディスク等のプログラムコードを記憶することが可能な種々の媒体を含むことが、当業者によって理解され得る。
【０１４７】
代替として、本発明の上記の統合型ユニットはまた、ソフトウェア機能モジュールの形態で実装され、独立した製品として販売または使用される場合、コンピュータ可読記憶媒体の中に記憶されてもよい。本理解に基づいて、本発明の実施形態によって提供される技術的ソリューションは、実質的に、または関連技術分野に寄与する部分は、ソフトウェア製品の形態で具現化されてもよい。コンピュータソフトウェア製品は、記憶媒体の中に記憶され、コンピュータデバイス（パーソナルコンピュータ、サーバ、またはネットワークデバイス等であり得る）が本発明の各実施形態によって提供される方法の全てまたは一部を実施することを可能にするためのいくつかの命令を含む。前述の記憶媒体は、リムーバブル記憶デバイス、ＲＯＭ、磁気ディスク、または光ディスク等のプログラムコードを記憶することが可能な種々の媒体を含む。
【０１４８】
上記は、本発明の実施形態にすぎず、本発明を限定することを意図していない。当業者が本発明の技術範囲内で修正または代用を構想することは、容易である。これらの修正または代用は、本発明の範囲内である。したがって、本発明の保護範囲は、添付の請求項の範囲の影響下にある。
【産業上の利用可能性】
【０１４９】
本発明の実施形態では、第１の所定の処理は、第１の処理結果を取得するように、伝送されるデータに実施され、第１の処理結果は、連結されたデータを取得するように、伝送されるデータと連結され、第２の所定の処理は、処理されたデータを取得するように、連結されたデータに実施され、処理されたデータの中にあり、ネットワーク側デバイスの現在のデータ伝送に対応する、データのセグメントが、伝送される。したがって、端末が、受信されたデータがネットワーク側によって伝送される伝送を判定することができないという関連技術分野内の問題が、解決される。
【図１】
2020523820.tif 000003
【図２】
2020523820.tif 000004
【図３】
2020523820.tif 000005
【図４】
2020523820.tif 000006
【図５】
2020523820.tif 000007
【図６】
2020523820.tif 000008
【図７】
2020523820.tif 000009
【図８】
2020523820.tif 000010
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
ネットワーク通信方法であって、
ネットワーク送信デバイスによって、伝送されるデータに第１の処理を実施し、第１の処理結果を取得することであって、前記第１の処理は、前記データに巡回冗長チェックを実施し、第１のチェック結果を取得することと、セル無線ネットワーク一時識別子および前記第１のチェック結果にＸＯＲ演算を実施し、前記第１の処理結果を取得することとを含む、ことと、
前記ネットワーク送信デバイスによって、前記第１の処理結果に第２の所定の処理を実施し、処理されたデータを取得することと、
前記ネットワーク送信デバイスによって、前記処理されたデータの複数のセグメントのうちの１つを伝送することと
を含む、ネットワーク通信方法。
【請求項２】
前記セル無線ネットワーク一時識別子は、１６ビットを有し、
セル無線ネットワーク一時識別子および前記第１のチェック結果にＸＯＲ演算を実施し、前記第１の処理結果を取得することはさらに、前記第１のチェック結果の最後の１６ビットおよび前記１６ビットを有する前記セル無線ネットワーク一時識別子に前記ＸＯＲ演算を実施することを含む、請求項１に記載のネットワーク通信方法。
【請求項３】
前記第１の処理結果に第２の所定の処理を実施し、処理されたデータを取得することはさらに、
前記ネットワーク送信デバイスによって、前記第１の処理結果をコード化し、コード化されたデータを取得することと、
前記ネットワーク送信デバイスによって、前記コード化されたデータをスクランブルし、前記処理されたデータを取得することと
を含む、請求項１に記載のネットワーク通信方法。
【請求項４】
前記処理されたデータの前記複数のセグメントのそれぞれは、前記ネットワーク送信デバイスのデータ伝送に対応する、請求項１に記載のネットワーク通信方法。
【請求項５】
ネットワーク送信デバイスであって、
プロセッサであって、前記プロセッサは、
伝送されるデータに第１の所定の処理を実施して、第１の処理結果を取得することであって、前記第１の処理は、前記データに巡回冗長チェックを実施し、第１のチェック結果を取得することと、セル無線ネットワーク一時識別子および前記第１のチェック結果にＸＯＲ演算を実施し、前記第１の処理結果を取得することとを含む、ことと、
前記第１の処理結果に第２の所定の処理を実施し、処理されたデータを取得することと
を行うように構成されている、プロセッサと、
前記プロセッサに結合された伝送機であって、前記伝送機は、前記処理されたデータの複数のセグメントのうちの１つを伝送するように構成されている、伝送機と
を備える、ネットワーク送信デバイス。
【請求項６】
前記セル無線ネットワーク一時識別子は、１６ビットを有し、
前記プロセッサはさらに、前記第１のチェック結果の最後の１６ビットおよび前記１６ビットを有する前記セル無線ネットワーク一時識別子に前記ＸＯＲ演算を実施するように構成されている、請求項５に記載のネットワーク送信デバイス。
【請求項７】
前記プロセッサはさらに、
前記第１の処理結果をコード化して、コード化されたデータを取得することと、
前記コード化されたデータをスクランブルし、前記処理されたデータを取得することと
を行うように構成されている、請求項５にネットワーク送信デバイス。
【請求項８】
前記処理されたデータの前記複数のセグメントのそれぞれは、前記ネットワーク送信デバイスのデータ伝送に対応する、請求項５にネットワーク送信デバイス。
【請求項９】
その上に記憶されたコンピュータ可読プログラム媒体命令を備える、コンピュータプログラム製品であって、コードは、プロセッサによって実行されると、前記プロセッサに請求項１に記載の方法を実装させる、コンピュータプログラム製品。
【請求項１０】
その上に記憶されたコンピュータ可読プログラム媒体命令を備える、コンピュータプログラム製品であって、コードは、プロセッサによって実行されると、前記プロセッサに請求項２に記載の方法を実装させる、コンピュータプログラム製品。
【請求項１１】
その上に記憶されたコンピュータ可読プログラム媒体命令を備える、コンピュータプログラム製品であって、コードは、プロセッサによって実行されると、前記プロセッサに請求項３に記載の方法を実装させる、コンピュータプログラム製品。
【請求項１２】
その上に記憶されたコンピュータ可読プログラム媒体命令を備える、コンピュータプログラム製品であって、コードは、プロセッサによって実行されると、前記プロセッサに請求項４に記載の方法を実装させる、コンピュータプログラム製品。
【手続補正２】
【補正対象書類名】明細書
【補正対象項目名】００１５
【補正方法】変更
【補正の内容】
【００１５】
実施形態を通して、第１の所定の処理は、第１の処理結果を取得するように、伝送されるデータに実施され、第１の処理結果は、伝送されるデータと連結される。第２の所定の処理は、連結されたデータに実施される。処理されたデータは、データの複数のセグメントを含み、データの複数のセグメントのうちの各セグメントは、データ伝送に対応する。ネットワーク側デバイスの現在のデータ伝送に対応する、データのセグメントが、伝送される。すなわち、データの各セグメントは、端末がネットワーク側デバイスによって送信されるデータを受信した後に、端末がデータに対応する伝送の回数を判定し、さらに、ネットワーク側デバイスによって伝送されるデータの伝送の回数を判定し得るように、データ伝送に対応する。したがって、端末が、受信されたデータがネットワーク側によって伝送される伝送のうちのいずれかを判定することができないという問題が、解決され得る。
本願明細書は、例えば、以下の項目も提供する。
（項目１）
データを送信するための方法であって、
伝送されるデータに第１の所定の処理を実施し、第１の処理結果を取得することと、
前記第１の処理結果を伝送される前記データと連結し、連結されたデータを取得することと、
前記連結されたデータに第２の所定の処理を実施し、処理されたデータを取得することと、
前記処理されたデータの中にあり、ネットワーク側デバイスの現在のデータ伝送に対応する、データのセグメントを伝送することと
を含む、方法。
（項目２）
前記連結されたデータに前記第２の所定の処理を実施し、前記処理されたデータを取得することは、
前記連結されたデータにチャネルコーディングを実施し、コード化されたデータを取得することと、
前記コード化されたデータをＮ回繰り返し、繰り返しデータを取得することであって、Ｎは、正の整数である、ことと、
規定識別子を使用することによって前記繰り返しデータをスクランブルし、スクランブルされたデータを取得することと
を含む、項目１に記載の方法。
（項目３）
前記連結されたデータに前記チャネルコーディングを実施することは、以下のコーディング様式：ポーラコード、低密度パリティチェックコード、およびテールバイティング畳み込みコードのうちの少なくとも１つで、前記連結されたデータに前記チャネルコーディングを実施することを含む、項目２に記載の方法。
（項目４）
前記規定識別子を使用することによって前記繰り返しデータをスクランブルし、前記スクランブルされたデータを取得することは、前記規定識別子および前記繰り返しデータを使用することによって生成されるスクランブリングシーケンスにＸＯＲ演算を実施し、前記スクランブルされたデータを取得することを含む、項目２に記載の方法。
（項目５）
前記スクランブリングシーケンスは、ゴールドコード、Ｍ−シーケンス、およびｚａｄｏｆｆ−ｃｈｕ（ＺＣ）シーケンスのうちの少なくとも１つを備える、項目４に記載の方法。
（項目６）
伝送される前記データに前記第１の所定の処理を実施し、前記第１の処理結果を取得することは、
伝送される前記データに巡回冗長チェックを実施し、第１のチェック結果を取得することと、
前記第１のチェック結果に以下の動作：
アンテナポートの数を表すためのマスクを使用することによって前記第１のチェック結果に所定の演算を実施することと、
セル無線ネットワーク一時識別子および前記第１のチェック結果にＸＯＲ演算を実施することと
のうちの少なくとも１つを実施し、前記第１の処理結果を取得することと
を含む、項目１に記載の方法。
（項目７）
前記巡回冗長チェックに使用される８チェックビットの場合、前記巡回冗長チェックを実施する際に使用される生成多項式ｇは、ｇ＝Ｘ８＋Ｘ７＋Ｘ４＋Ｘ３＋Ｘ＋１、ｇ＝Ｘ８＋Ｘ２＋Ｘ＋１、ｇ＝Ｘ８＋Ｘ４＋Ｘ３＋Ｘ＋１、またはｇ＝Ｘ８＋Ｘ４＋Ｘ３＋Ｘ２＋１のうちの少なくとも１つを備え、
前記巡回冗長チェックに使用される１６チェックビットの場合、前記巡回冗長チェックを実施する際に使用される前記生成多項式ｇは、ｇ＝Ｘ１６＋Ｘ１２＋Ｘ５＋１、ｇ＝Ｘ１６＋Ｘ２＋Ｘ＋１、またはｇ＝Ｘ１６＋Ｘ１４＋Ｘ＋１のうちの少なくとも１つを備え、
前記巡回冗長チェックに使用される１７チェックビットの場合、前記巡回冗長チェックを実施する際に使用される前記生成多項式ｇは、ｇ＝Ｘ１７＋Ｘ３＋１、ｇ＝Ｘ１７＋Ｘ１２＋Ｘ１１＋Ｘ６＋Ｘ４＋Ｘ＋１、またはｇ＝Ｘ１７＋Ｘ１３＋Ｘ１１＋Ｘ１０＋Ｘ７＋Ｘ５＋Ｘ４＋Ｘ３＋Ｘ＋１のうちの少なくとも１つを備え、
前記巡回冗長チェックに使用される１８チェックビットの場合、前記巡回冗長チェックを実施する際に使用される前記生成多項式ｇは、ｇ＝Ｘ１８＋Ｘ５＋Ｘ２＋Ｘ＋１、ｇ＝Ｘ１８＋Ｘ１６＋Ｘ１５＋Ｘ１３＋Ｘ８＋Ｘ５＋Ｘ４＋Ｘ３＋Ｘ２＋Ｘ＋１、またはｇ＝Ｘ１８＋Ｘ１６＋Ｘ１１＋Ｘ１０＋Ｘ９＋Ｘ８＋Ｘ６＋Ｘ５＋Ｘ４＋Ｘ＋１のうちの少なくとも１つを備え、
前記巡回冗長チェックに使用される１９チェックビットの場合、前記巡回冗長チェックを実施する際に使用される前記生成多項式ｇは、ｇ＝Ｘ１９＋Ｘ５＋Ｘ２＋Ｘ＋１、ｇ＝Ｘ１９＋Ｘ１６＋Ｘ８＋Ｘ５＋Ｘ４＋Ｘ３＋Ｘ２＋Ｘ＋１、またはｇ＝Ｘ１９＋Ｘ１２＋Ｘ９＋Ｘ８＋Ｘ６＋Ｘ５＋Ｘ４＋Ｘ２＋１のうちの少なくとも１つを備え、
前記巡回冗長チェックに使用される２０チェックビットの場合、前記巡回冗長チェックを実施する際に使用される前記生成多項式ｇは、ｇ＝Ｘ２０＋Ｘ３＋１、ｇ＝Ｘ２０＋Ｘ１６＋Ｘ９＋Ｘ４＋Ｘ３＋Ｘ２＋１、またはｇ＝Ｘ２０＋Ｘ１９＋Ｘ１８＋Ｘ１４＋Ｘ６＋Ｘ２＋Ｘ＋１のうちの少なくとも１つを備え、
前記巡回冗長チェックに使用される２１チェックビットの場合、前記巡回冗長チェックを実施する際に使用される前記生成多項式ｇは、ｇ＝Ｘ２１＋Ｘ２＋１、ｇ＝Ｘ２１＋Ｘ２０＋Ｘ１３＋Ｘ１１＋Ｘ７＋Ｘ４＋Ｘ３＋１、またはｇ＝Ｘ２１＋Ｘ２０＋Ｘ１８＋Ｘ１６＋Ｘ１４＋Ｘ１３＋Ｘ１０＋Ｘ９＋Ｘ７＋Ｘ３＋１のうちの少なくとも１つを備え、
前記巡回冗長チェックに使用される２２チェックビットの場合、前記巡回冗長チェックを実施する際に使用される前記生成多項式ｇは、ｇ＝Ｘ２２＋Ｘ＋１のうちの少なくとも１つを備え、
前記巡回冗長チェックに使用される２３チェックビットの場合、前記巡回冗長チェックを実施する際に使用される前記生成多項式ｇは、ｇ＝Ｘ２３＋Ｘ５＋１のうちの少なくとも１つを備え、
前記巡回冗長チェックに使用される２４チェックビットの場合、前記巡回冗長チェックを実施する際に使用される前記生成多項式ｇは、ｇ＝Ｘ２４＋Ｘ４＋Ｘ３＋Ｘ＋１、ｇ＝Ｘ２４＋Ｘ２３＋Ｘ６＋Ｘ５＋Ｘ＋１、またはｇ＝Ｘ２４＋Ｘ２３＋Ｘ１８＋Ｘ１７＋Ｘ１４＋Ｘ１１＋Ｘ１０＋Ｘ７＋Ｘ６＋Ｘ５＋Ｘ４＋Ｘ３＋Ｘ＋１のうちの少なくとも１つを備え、
前記巡回冗長チェックに使用される３２チェックビットの場合、前記巡回冗長チェックを実施する際に使用される前記生成多項式ｇは、ｇ＝Ｘ３２＋Ｘ７＋Ｘ５＋Ｘ３＋Ｘ２＋Ｘ＋１、ｇ＝Ｘ３２＋Ｘ２９＋Ｘ１８＋Ｘ１４＋Ｘ３＋１、またはｇ＝Ｘ３２＋Ｘ１４＋Ｘ１２＋Ｘ１０＋Ｘ９＋Ｘ８＋Ｘ４＋Ｘ３＋Ｘ＋１のうちの少なくとも１つを備え、
Ｘという累乗指数は、前記巡回冗長チェックを実施する際に使用されるチェックビットを示すために使用される、項目６に記載の方法。
（項目８）
前記アンテナポートが単一アンテナポートである場合において、前記マスクは、数Ｌ＿ＣＲＣの２進ビット「０」を備え、
前記アンテナポートが２アンテナポートである場合において、前記マスクは、数Ｌ＿ＣＲＣの２進ビット「１」を備え、
前記アンテナポートが４アンテナポートである場合において、前記マスクは、数ｆｌｏｏｒ（Ｌ＿ＣＲＣ／２）の２進列「０１」と、数ｍｏｄ（Ｌ＿ＣＲＣ，２）の２進ビット「０」とを備え、
前記アンテナポートが８アンテナポートである場合において、前記マスクは、数ｆｌｏｏｒ（Ｌ＿ＣＲＣ／２）の２進列「１０」と、数ｍｏｄ（Ｌ＿ＣＲＣ，２）の２進ビット「１」とを備え、
前記アンテナポートが１６アンテナポートである場合において、前記マスクは、数ｆｌｏｏｒ（Ｌ＿ＣＲＣ／４）の２進列「０１１０」および数ｍｏｄ（Ｌ＿ＣＲＣ，４）の２進ビット「１」、前記ｆｌｏｏｒ（Ｌ＿ＣＲＣ／４）２進列「０１１０」および第１のビットから前記ｆｌｏｏｒ（Ｌ＿ＣＲＣ／４）２進列「０１１０」のｍｏｄ（Ｌ＿ＣＲＣ，４）番目のビットまでの複数のビット、または前記ｆｌｏｏｒ（Ｌ＿ＣＲＣ／４）２進列「０１１０」および最後のビットから前記ｆｌｏｏｒ（Ｌ＿ＣＲＣ／４）２進列「０１１０」の最後のビットからｍｏｄ（Ｌ＿ＣＲＣ，４）番目のビットまでの複数のビットのうちの１つを備え、
前記アンテナポートが３２アンテナポートである場合において、前記マスクは、数ｆｌｏｏｒ（Ｌ＿ＣＲＣ／４）の２進列「１００１」および数ｍｏｄ（Ｌ＿ＣＲＣ，４）の２進ビット「０」、前記ｆｌｏｏｒ（Ｌ＿ＣＲＣ／４）２進列「１００１」および第１のビットから前記ｆｌｏｏｒ（Ｌ＿ＣＲＣ／４）２進列「１００１」のｍｏｄ（Ｌ＿ＣＲＣ，４）番目のビットまでの複数のビット、または前記ｆｌｏｏｒ（Ｌ＿ＣＲＣ／４）２進列「１００１」および最後のビットから前記ｆｌｏｏｒ（Ｌ＿ＣＲＣ／４）２進列「１００１」の最後のビットからｍｏｄ（Ｌ＿ＣＲＣ，４）番目のビットまでの複数のビットのうちの１つを備え、
Ｌ＿ＣＲＣは、前記巡回冗長チェックのビット数、セル識別子のビット数、ビーム識別子のビット数、前記セル無線ネットワーク一時識別子のビット数、または予備ビットの数を引いた前記巡回冗長チェックのビット数のビット数のうちの少なくとも１つを備え、前記予備ビットの数は、０〜１６の任意の整数であり、ｆｌｏｏｒ（）は、切り捨て演算であり、ｍｏｄ（Ｌ＿ＣＲＣ，２）は、前記Ｌ＿ＣＲＣへのモジュロ−２演算であり、ｍｏｄ（Ｌ＿ＣＲＣ，４）は、前記Ｌ＿ＣＲＣへのモジュロ−４演算である、項目６に記載の方法。
（項目９）
前記アンテナポートの数を表すための前記マスクを使用することによって、前記第１のチェック結果に前記所定の演算を実施することは、
前記マスクおよび前記第１のチェック結果に前記ＸＯＲ演算を実施すること、または
前記マスクおよび前記第１のチェック結果にモジュロ−２加法演算を実施すること
のうちの少なくとも１つを含む、項目６に記載の方法。
（項目１０）
前記セル無線ネットワーク一時識別子および前記第１のチェック結果に前記ＸＯＲ演算を実施することは、
前記セル無線ネットワーク一時識別子のビット数が前記第１のチェック結果のビット数未満である場合において、所定数の２進ビット「０」を前記セル無線ネットワーク一時識別子の前部または後部に追加して、第１のセル無線ネットワーク一時識別子を取得し、前記第１のセル無線ネットワーク一時識別子および前記第１のチェック結果に前記ＸＯＲ演算を実施すること、または
前記セル無線ネットワーク一時識別子のビット数が前記第１のチェック結果のビット数を上回る場合において、前記所定数の２進ビット「０」を前記第１のチェック結果の前部または後部に追加して、第２のチェック結果を取得し、前記セル無線ネットワーク一時識別子および前記第２のチェック結果に前記ＸＯＲ演算を実施すること
のうちの少なくとも１つを含み、
前記所定数は、前記セル無線ネットワーク識別子のビット数と前記第１のチェック結果のビット数との間の差の絶対値である、項目６に記載の方法。
（項目１１）
第１の処理結果を伝送される前記データと連結し、前記連結されたデータを取得することは、
伝送される前記データの前に前記第１の処理結果を設置し、前記連結されたデータを取得すること、
伝送される前記データの中央に前記第１の処理結果を設置し、前記連結されたデータを取得すること、または
伝送される前記データの後に前記第１の処理結果を設置し、前記連結されたデータを取得すること
のうちの少なくとも１つを含み、
伝送される前記データの中で伝送される全Ｍデータビットは、前記第１の処理結果のデータのビットを伴って挿入され、前記第１の処理結果の全てのビットは、前記連結されたデータを取得するように伝送される前記データの中に挿入され、Ｍは、自然数である、項目１に記載の方法。
（項目１２）
データの複数のセグメントの中のデータの少なくとも２つのセグメントは、重複データを有し、またはいかなる重複データも、前記データの複数のセグメントの中に存在しない、項目１−１１のいずれか１項に記載の方法。
（項目１３）
前記セル無線ネットワーク一時識別子および前記第１のチェック結果に前記ＸＯＲ演算を実施することは、１６ビットセル無線ネットワーク一時識別子および前記第１のチェック結果の１９ビットの中の最後の１６ビットに前記ＸＯＲ演算を実施し、新しいチェック結果を取得することを含む、項目６に記載の方法。
（項目１４）
前記処理されたデータは、データの複数のセグメントを備え、前記データの複数のセグメントの各セグメントは、データ伝送に対応する、項目１−１１のいずれか１項に記載の方法。
（項目１５）
データを処理するための方法であって、
ネットワーク側デバイスによって送信されるデータを受信することであって、前記データは、前記ネットワーク側デバイスによって伝送される事前処理データから取得されるデータの間のデータのセグメントである、ことと、
データのセグメントとデータ伝送の回数との間の事前設定された対応および前記受信されたデータに従って、前記受信されたデータに対応するデータ伝送の回数を判定することと
を含む、方法。
（項目１６）
前記対応は、前記事前処理されたデータの中の前記データのセグメントの開始点と前記データ伝送の回数との間の対応を備える、項目１５に記載の方法。
（項目１７）
前記データのセグメントと前記データ伝送の回数との間の前記事前設定された対応および前記受信されたデータに従って、前記受信されたデータに対応する前記データ伝送の回数を判定することは、
前記事前処理されたデータの中の前記受信されたデータの開始位置を取得することと、
前記開始位置に従って、前記開始位置に合致する前記データ伝送の回数に関して対応を検索することと
を含む、項目１６に記載の方法。
（項目１８）
データを送信するための装置であって、
伝送されるデータに第１の所定の処理を実施し、第１の処理結果を取得するように構成されている、第１の処理モジュールと、
前記第１の処理結果を伝送される前記データと連結し、連結されたデータを取得するように構成されている、組み合わせモジュールと、
前記連結されたデータに第２の所定の処理を実施し、処理されたデータを取得するように構成されている、第２の処理モジュールと、
前記処理されたデータの中にあり、ネットワーク側デバイスの現在のデータ伝送に対応する、データのセグメントを伝送するように構成されている、伝送モジュールと
を備える、装置。
（項目１９）
前記第２の処理モジュールはさらに、前記連結されたデータにチャネルコーディングを実施して、コード化されたデータを取得することと、前記コード化されたデータをＮ回繰り返して、繰り返しデータを取得することと、規定識別子を使用することによって前記繰り返しデータをスクランブルし、スクランブルされたデータを取得することとを行うように構成され、Ｎは、正の整数である、項目１８に記載の装置。
（項目２０）
前記第１の処理モジュールはさらに、
伝送される前記データに巡回冗長チェックを実施して、第１のチェック結果を取得することと、
前記第１のチェック結果に以下の動作：
アンテナポートの数を表すためのマスクを使用することによって前記第１のチェック結果に所定の演算を実施することと、
セル無線ネットワーク一時識別子および前記第１のチェック結果にＸＯＲ演算を実施することと
のうちの少なくとも１つを実施し、前記第１の処理結果を取得することと
を行うように構成されている、項目１８に記載の装置。
（項目２１）
データを処理するための装置であって、
ネットワーク側デバイスによって送信されるデータを受信するように構成されている、受信モジュールであって、前記データは、前記ネットワーク側デバイスによって伝送される事前処理データから取得されるデータの間のデータのセグメントである、受信モジュールと、
データのセグメントとデータ伝送の回数との間の事前設定された対応および前記受信されたデータに従って、前記受信されたデータに対応するデータ伝送の回数を判定するように構成されている、判定モジュールと
を備える、装置。
（項目２２）
前記対応は、前記事前処理されたデータの中の前記データのセグメントの開始点と前記データ伝送の回数との間の対応を備える、項目２１に記載の装置。
（項目２３）
前記判定モジュールはさらに、
前記事前処理されたデータの中の前記受信されたデータの開始位置を取得することと、
前記開始位置に従って、前記開始位置に合致する前記データ伝送の回数に関して対応を検索することと
を行うように構成されている、項目２１に記載の装置。
（項目２４）
ネットワーク側デバイスであって、
プロセッサと、
前記プロセッサに結合されたメモリと
を備え、
前記プロセッサは、
伝送されるデータに第１の所定の処理を実施して、第１の処理結果を取得することと、
前記第１の処理結果を伝送される前記データと連結して、連結されたデータを取得することと、
前記連結されたデータに第２の所定の処理を実施して、処理されたデータを取得することと、
前記処理されたデータの中にあり、前記ネットワーク側デバイスの現在のデータ伝送に対応する、データのセグメントを伝送することと
を行うように構成され、
前記処理されたデータは、データの複数のセグメントを備え、前記データの複数のセグメントのうちの各セグメントは、データ伝送に対応する、ネットワーク側デバイス。
（項目２５）
前記プロセッサはさらに、
前記連結されたデータにチャネルコーディングを実施して、コード化されたデータを取得することと、
前記コード化されたデータをＮ回繰り返して、繰り返しデータを取得することと、
規定識別子を使用することによって前記繰り返しデータをスクランブルし、スクランブルされたデータを取得することと
を行うように構成され、
Ｎは、正の整数である、項目２４に記載のネットワーク側デバイス。
（項目２６）
前記プロセッサはさらに、
伝送される前記データに巡回冗長チェックを実施して、第１のチェック結果を取得することと、
前記第１のチェック結果に以下の動作：
アンテナポートの数を表すためのマスクを使用することによって前記第１のチェック結果に所定の演算を実施することと、
セル無線ネットワーク一時識別子および前記第１のチェック結果にＸＯＲ演算を実施することと
のうちの少なくとも１つを実施し、前記第１の処理結果を取得することと
を行うように構成されている、項目２４に記載のネットワーク側デバイス。
（項目２７）
端末であって、
プロセッサと、
前記プロセッサに結合されたメモリと
を備え、
前記プロセッサは、
ネットワーク側デバイスによって送信されるデータを受信することと、
データのセグメントとデータ伝送の回数との間の事前設定された対応および前記受信されたデータに従って、前記受信されたデータに対応するデータ伝送の回数を判定することと
を行うように構成され、
前記データは、前記ネットワーク側デバイスによって伝送される事前処理データから取得されるデータの間のデータのセグメントである、端末。
（項目２８）
前記対応は、前記事前処理されたデータの中の前記データのセグメントの開始点と前記データ伝送の回数との間の対応を備える、項目２７に記載の端末。
（項目２９）
前記プロセッサはさらに、
前記事前処理されたデータの中の前記受信されたデータの開始位置を取得することと、
前記開始位置に従って、前記開始位置に合致する前記データ伝送の回数に関して対応を検索することと
を行うように構成されている、項目２８に記載の端末。
（項目３０）
実行されると、項目１−１４のいずれか１項に記載の方法を実施する、記憶されたプログラムを備える、記憶媒体。
（項目３１）
実行されると、項目１５−１７のいずれか１項に記載の方法を実施する、記憶されたプログラムを備える、記憶媒体。
（項目３２）
プロセッサであって、前記プロセッサは、プログラムを実行するように構成され、前記プログラムは、実行されると、項目１−１４のいずれか１項に記載の方法を実施する、プロセッサ。
（項目３３）
プロセッサであって、前記プロセッサは、プログラムを実行するように構成され、前記プログラムは、実行されると、項目１５−１７のいずれか１項に記載の方法を実施する、プロセッサ。
【国際調査報告】
2020523820.tif 000011
2020523820.tif 000012
2020523820.tif 000013
2020523820.tif 000014